(57)【要約】  語学において発音と音声を自己学習することができ、リスニングと、スペリングスキルと、ボキャブラリーの増加を図ることができる音声発音教育装置並びに音声発音教育方法および音声発音教育プログラムを提供する。少なくとも音声データと該音声データを示す発音記号データとを関連付けた音声発音データを記憶させたデータベースと、入力手段からの指示信号を受けてランダムに音声発音データを選択する選択機能ブロックと、選択された音声発音データを再生する音声発音データ再生機能ブロックと、入力手段から入力された発音記号データと選択された音声発音データに対応する発音記号データを比較してその正誤結果を記憶手段に記録する発音記号データ正誤判定機能ブロックとを備える。
2009501356.tif 000002
【特許請求の範囲】
【請求項１】
少なくとも音声データと該音声データを示す発音記号データとを関連付けた音声発音データを記憶させたデータベースと、入力手段からの指示信号を受けてランダムに音声発音データを選択する選択機能ブロックと、選択された音声発音データを再生する音声発音データ再生機能ブロックと、入力手段から入力された発音記号データと選択された音声発音データに対応する発音記号データを比較してその正誤結果を記憶手段に記録する発音記号データ正誤判定機能ブロックとを備える音声発音教育装置。
【請求項２】
前記発音記号データはさらに発音記号データに対応する文字データを前記データベースに記録され、正誤判定機能ブロックは外部から入力される文字データと選択された音声発音データに対応する文字データを比較してその正誤を記憶手段に記録することを特徴とする請求項１記載の音声発音教育装置。
【請求項３】
発音記号データ正誤判定機能ブロックの算出した正誤結果を積算して正誤率と比較回数とを算出する演算機能ブロックをさらに備えることを特徴とする請求項１記載の音声発音教育装置。
【請求項４】
演算機能ブロックの算出した結果を表示部に表示させる表示機能ブロックをさらに備えることを特徴とする請求項３記載の音声発音教育装置。
【請求項５】
演算機能ブロックの算出した正誤率と比較回数とをアクセス者毎に記憶手段に記録するアクセス者管理機能ブロックをさらに備えることを特徴とする請求項３記載の音声発音教育装置。
【請求項６】
あらかじめデータベースに音声データと該音声データを示す発音記号データとを関連付けた音声発音データとが記憶され、選択機能ブロックが入力手段からの指示信号を受けてランダムに音声発音データを選択し、音声発音データ再生機能ブロックが選択された音声発音データを再生し、発音記号データ正誤判定機能ブロックが入力手段から入力された発音記号データと選択された音声発音データに対応する発音記号データを比較してその正誤結果を記憶手段に記録する音声発音教育方法。
【請求項７】
あらかじめデータベースに音声データと該音声データを示す発音記号データとを関連付けた音声発音データとが記憶され、選択機能ブロックが入力手段からの指示信号を受けてランダムに音声発音データを選択し、音声発音データ再生機能ブロックが選択された音声発音データを再生し、発音記号データ正誤判定機能ブロックが入力手段から入力された発音記号データと選択された音声発音データに対応する発音記号データを比較してその正誤結果を記憶手段に記録する音声発音教育プログラム。
【発明の詳細な説明】
【技術分野】
【０００１】
この発明は、音声発音教育装置並びに音声発音教育方法および音声発音教育プログラムに関するものであり、発音された音声とその音声に対応する発音記号とさらに対応する綴りを学習することができるものである。
【背景技術】
【０００２】
従来、語学学習の三大要素として読解力と、作文能力、会話能力の各能力の習得が必要である。このうち、会話能力に着目するとその基礎となるのがリスニング能力の習得が重要である。すなわち、正しくリスニングを行うことによって、会話相手の発言内容を正確に理解することとなるのである。
【０００３】
また、正しいリスニング能力を習得するためには、各単語レベルの音声を習得することが必要である。各単語の音声を正確に聞きとることができることによって、１つの文だけでなく会話全体の理解を図ることができるからである。
【０００４】
そのうえ、各単語レベルの音声を習得するためには発音記号での発音を理解する必要がある。正確な発音記号を把握することで、各単語の発音が理解できるため、正確に発音することも聞き間違うことなく聞き取ることができるからである。
【０００５】
一方、発音記号と、単語と、文と、会話についていずれもネイティブ・スピーカの音声を聞いて理解および把握することが必要である。なぜなら、ネイティブ・スピーカであれば、正確な発音がなされているからである。
【０００６】
この発音記号を学習する方法として外国語の発音学習装置として特開２０００−２５０４０２号公報が提案されている。この特開２０００−２５０４０２号公報は、模範音声データと学習者の音声データを交互に再生して比較することで発音学習を行なう装置が提案されている。
【０００７】
しかしながら、発音学習は会話能力を高めるために重要であり、必要なことであるが、リスニング能力を十分鍛錬することが第一であることが判明した。すなわち、実際の音声と発音記号が対応がつくまでリスニング能力を向上させることで、外国語学習におけるリスニング能力を向上させるとともに、発音能力の向上を図ることができることがわかった。
【０００８】
一方、日本国で他国の語学において特に発音を学習する際に、発音記号を使用せずに表音文字であるカタカナ表記を使用することが多い。これは、発音学習を容易とする長所はあるものの、カタカナの音声は他国の単語の発音記号に１対１に対応していないため、単語の発音をカタカナで理解してしまい、正確な発音を学習しないという状況が生じている。さらにはネイティブ・スピーカとの会話が成立しないという現象も生じている。
【０００９】
これは、正確な発音記号の学習がなされていないことに大きな原因がある。正確な発音記号の学習がなされていない理由としては、学校教育で重視されてこなかったという要因もあるが、適切な学習方法が提案されていなかったことも大きな要因である。正しい発音記号を音で確認する機会が極めて少なく、そのような教材の供給も十分ではない。
【００１０】
さらに、教材があったとしても発音記号とその音とを対応して示すものは従来から提案されている。しかしながら、発音記号についての理解度を客観的に判定する教材は十分に提供されているとは言いがたい状況にある。
【００１１】
すなわち、発音記号とネイティブスピーカの発声とを対応させて学習可能な教材が不足するという課題が生じている。
【００１２】
また、語学の自己学習において各自の発音記号の理解力を客観的に把握しながら学習することが困難であるという更なる課題が生じている。
【００１３】
そこで、本発明の目的は上記の課題を解決すべく、語学において発音と音声を自己学習することができ、リスニングと、スペリングスキルと、ボキャブラリーの増加を図ることができる音声発音教育装置並びに音声発音教育方法および音声発音教育プログラムを提供することにある。
【発明の開示】
【００１４】
前記の課題を解決するため、本発明に係る音声発音教育装置は、少なくとも音声データと該音声データを示す発音記号データとを関連付けた音声発音データを記憶させたデータベースと、入力手段からの指示信号を受けてランダムに音声発音データを選択する選択機能ブロックと、選択された音声発音データを再生する音声発音データ再生機能ブロックと、入力手段から入力された発音記号データと選択された音声発音データに対応する発音記号データを比較してその正誤結果を記憶手段に記録する発音記号データ正誤判定機能ブロックとを備える。
【００１５】
前記発音記号データはさらに発音記号データに対応する文字データを前記データベースに記録され、正誤判定機能ブロックは外部から入力される文字データと選択された音声発音データに対応する文字データを比較してその正誤を記憶手段に記録することを特徴とする。
【００１６】
発音記号データ正誤判定機能ブロックの算出した正誤結果を積算して正誤率と比較回数とを算出する演算機能ブロックをさらに備える。
【００１７】
演算機能ブロックの算出した結果を表示部に表示させる表示機能ブロックをさらに備える。
【００１８】
演算機能ブロックの算出した正誤率と比較回数とをアクセス者毎に記憶手段に記録するアクセス者管理機能ブロックをさらに備える。
【００１９】
本発明に係る音声発音教育方法は、あらかじめデータベースに音声データと該音声データを示す発音記号データとを関連付けた音声発音データとが記憶され、選択機能ブロックが入力手段からの指示信号を受けてランダムに音声発音データを選択し、音声発音データ再生機能ブロックが選択された音声発音データを再生し、発音記号データ正誤判定機能ブロックが入力手段から入力された発音記号データと選択された音声発音データに対応する発音記号データを比較してその正誤結果を記憶手段に記録する。
【００２０】
音声発音教育プログラムは、あらかじめデータベースに音声データと該音声データを示す発音記号データとを関連付けた音声発音データとが記憶され、選択機能ブロックが入力手段からの指示信号を受けてランダムに音声発音データを選択し、音声発音データ再生機能ブロックが選択された音声発音データを再生し、発音記号データ正誤判定機能ブロックが入力手段から入力された発音記号データと選択された音声発音データに対応する発音記号データを比較してその正誤結果を記憶手段に記録する。
【発明を実施するための最良の形態】
【００２１】
本発明のその他の詳細、利点および特徴については、添付図面を参照しながら以下に記す実施例によって明らかにされる。
【実施例１】
【００２２】
図１は、本発明の音声発音教育装置の第一の実施例を示すブロック図である。音声発音教育装置の第一の実施例は、発音記号のテストを実施する装置である。
【００２３】
図１に示す本発明に係る音声発音教育装置は、ネットワーク２に接続された講師側の端末装置４と、受講者側の端末装置６と、メインサーバ８とから構成される。講師側の端末装置４も受講者側の端末装置６も、自宅とか学校とかの自由な場所に配置することができる。講師側の端末装置４は、講師が使用するパーソナルコンピュータやその他の情報送受信用端末である。受講者側の端末装置６も同様にパーソナルコンピュータのような情報端末である。ネットワーク２はイントラネットやインターネットや電話網等の任意のネットワークである。
【００２４】
メインサーバ８は、発音記号の練習画面とデモンストレーション及び発音記号の練習課題とテスト問題を受講者側の端末に出力する機能と生徒の出席並びに成績等の管理情報を講師側の端末装置に出力する機能を併せ持つ。講師は、講師側の端末装置４を起動させてネットワーク２を介してメインサーバ８に接続して生徒成績を管理、確認する。また、受講者は受講者側の端末装置６を起動させてネットワーク２を介してメインサーバ８に接続して、発音記号の練習課題とテスト問題を受講し、併せてテスト結果を閲覧する。
【００２５】
こうした機能を実現するために、メインサーバ８には、ネットワーク機能ブロック１０と、選択機能ブロック１２と、音声発音データ再生機能ブロック１４と、発音記号データ正誤判定機能ブロック１６と、演算機能ブロック１８と、表示機能ブロック２０と、アクセス者管理機能ブロック２２と、発音記号データベース２４と、受講生データベース２６とを備えている。
【００２６】
選択機能ブロック１２は、入力手段からの指示信号を受けてランダムに音声発音データを選択する。ここで、入力手段としては、キーボード、スタイラスペン、タッチボードマウス等が、講師側の端末装置４と、受講者側の端末装置６と、メインサーバ８に接続される。メインサーバ８に接続される入力手段によって操作された場合は、直接、これらの入力手段からの信号で選択される。しかし、講師側の端末装置４と、受講者側の端末装置６の入力手段から選択される場合は、講師側の端末装置４と、受講者側の端末装置６とネットワーク２を介して信号が入力される。この入力手段からの信号に基き、予め記憶されている、発音記号データベース２４より予め定めた方法によって任意のデータが選択されるように構成される。
【００２７】
音声発音データ再生機能ブロック１４は、選択された音声発音データを操作された講師側の端末装置４と、受講者側の端末装置６と、メインサーバ８に設けられたスピーカー等の音響装置によって再生する。
【００２８】
発音記号データ正誤判定機能ブロック１６は、受講者が再生された音声発音データを聴いてから、改めて入力手段から入力される発音記号と、当初選択機能ブロック１２によって選択された音声発音データに対応する発音記号とを比較する。その比較結果を受講者が正誤結果として受講者毎に、記憶手段である受講生データベース２６に記録する。
【００２９】
演算機能ブロック１８は、発音記号データ正誤判定機能ブロックの算出した正誤結果を積算して正誤率と比較回数とを算出する。
【００３０】
表示機能ブロック２０は、発音方法画像や、操作ボタン画像、また、発音記号や正誤情報、さらに演算機能ブロックの算出した結果を表示部に表示させる。
【００３１】
アクセス者管理機能ブロック２２は、演算機能ブロックの算出した正誤率と比較回数とを受講者毎に記憶手段である受講生データベース２６に記録するとともに受講者の受講歴に基いて画像表示を管理する。
【００３２】
発音記号データベース２４は、音声データとその音声に対応した発音記号が記録される。
【００３３】
受講生データベース２６は、これまでの解答回数と、正答率と、問題のレベルが記録される。
【００３４】
メインサーバ５の選択機能ブロック１２と、音声発音データ再生機能ブロック１４と、発音記号データ正誤判定機能ブロック１６と、演算機能ブロック１８と、表示機能ブロック２０と、アクセス者管理機能ブロック２２などは、メインサーバ中のプロセッサが実行するコンピュータプログラムなどにより構成される。
【００３５】
図２は、図１に示したメインサーバ５内の構成によって動作するプログラムのメインフローを示す。
【００３６】
（メインスクリプト）
第一の実施例は発音記号の聞き取り試験である。第一の実施例に先立ち、本発明に係る音声発音教育プログラムを起動すると、操作する装置の画面にモード選択画面が表示される。モードは、単独ユーザーモードと複数ユーザーモードである。それぞれ選択可能なボタンが表示される。いずれかのボタンが選択されるとＩＤとパスワード入力画面が表示される。ＩＤとパスワード入力画面は、それぞれＩＤとパスワードのブランク部が設けられる。このブランク部にそれぞれＩＤとパスワードが入力されると、ＩＤ検索スクリプトが実行される（Ｓ２）。
【００３７】
ＩＤ検索スクリプトは、まず検索モードが起動される。次にアクセス者管理機能ブロック２２によって受講生データベース２６へアクセスし、ＩＤデータを検索する。こうしてパスワードを検出する。その後入力されたパスワードと比較して認証を行なう。
【００３８】
次に、アクセス者管理機能ブロック２２は、受講生データベース２６より入力された受講生ＩＤの発音記号のテストの合否結果を参照する（Ｓ４）。ここで、受講生ＩＤの発音記号のテストの合否結果に合格情報が有る場合は、表示機能ブロック２０によって「音声認識試験に合格しました」“Ｙｏｕ  ｈａｖｅ  ａｌｒｅａｄｙ  ｓｕｃｃｅｓｓｆｕｌｌｙ  ｐａｓｓｅｄ  ｔｈｅ  Ｓｏｕｎｄ  Ｒｅｃｏｇｎｉｔｉｏｎ  ｔｅｓｔ”と表示される（Ｓ６）。その後、発音記号の試験は終了する（Ｓ８）。
【００３９】
一方、受講生ＩＤの発音記号のテストの合否結果に不合格情報が有る場合は、クリアフィールドスクリプトが実行される（Ｓ１０）。
【００４０】
クリアフィールドスクリプトは、まず、表示機能ブロック２０は発音記号受講者情報を表示させる。続いてアクセス者管理機能ブロック２２によって受講生データベース２６に記録されているホルドシンボル４０項目（Ｈｏｌｄ  Ｓｙｍｂｏｌ）、レザルト項目４２（Ｒｅｓｕｌｔ）、ユーズド項目４４（Ｕｓｅｄ）の記録が消去される。すなわち、リセットがなされる。
【００４１】
続いてクリアサウンドフィールドスクリプトが実施される（Ｓ１２）。クリアサウンドフィールドスクリプトは、アクセス者管理機能ブロック２２によって、次の受講生データベース２６の領域のデータが削除される。具体的には、サウンド項目４６（Ｓｏｕｎｄ）”、フォネティックレプレゼンテイション（Ｐｈｏｎｅｔｉｃ  Ｒｅｐｒｅｓｅｎｔａｔｉｏｎ）、マウスポジション項目５０（Ｍｏｕｔｈ  Ｐｏｓｉｔｉｏｎ）、サウンドレザルト項目５２（Ｓｏｕｎｄ  Ｒｅｓｕｌｔ）、コレクトシンボル項目５４（Ｃｏｒｒｅｃｔ  Ｓｙｍｂｏｌｓ）、サウンドエラー項目５６（Ｓｏｕｎｄ  Ｅｒｒｏｒｓ）、コレクトサウンド項目５８（Ｃｏｒｒｅｃｔ  Ｓｏｕｎｄｓ）、サウンドアテンプト項目６０（Ｓｏｕｎｄ  Ａｔｔｅｍｐｔｓ）、サウンドコレクト項目６２（Ｓｏｕｎｄ  Ｃｏｒｒｅｃｔ）が消去される領域である。
【００４２】
さらに、カーソルを画面上のフォネティックレプレゼンテイション表示ボックス７０（Ｐｈｏｎｅｔｉｃ  Ｒｅｐｒｅｓｅｎｔａｔｉｏｎ）《本発明のシステムの画面における》即ち発音記号を表示する枠部に移動させる。
【００４３】
次に、ペイストスタートスクリプトが実施される（Ｓ１４）。このペイストスタートスクリプトは、まず、表示機能ブロック２０は発音記号受講者情報を表示させる。さらに、アクセス者管理機能ブロック２２によって、受講生データベース２６のフォネティックレプレゼンテイション項目４８（Ｐｈｏｎｅｔｉｃ  Ｒｅｐｒｅｓｅｎｔａｔｉｏｎ）に記憶される。
【００４４】
続いて音声認識データコピースクリプトを実施する（Ｓ１６）。問題を回答しようと試みた回数であるサウンドアテンプト表示ボックス７２（Ｓｏｕｎｄ  Ａｔｔｅｍｐｔ）《本発明のシステムの画面における》図１１と、回答した結果正解であった回数が示されるサウンドコレクト表示ボックス７４（Ｓｏｕｎｄ  Ｃｏｒｒｅｃｔ）を表示させるスクリプトであり、詳細には図４で示す。
【００４５】
さらにランダム音声スクリプトが実施される（Ｓ１８）。ランダム音声スクリプトは、問題として再生する発音記号を乱数に基いて選択するスクリプトであり、詳細は図５に示される。
【００４６】
次に表示機能ブロック２０によって発音記号ページが表示される（Ｓ２０）。さらにＡを経由して図３のＡで結ばれ、選択機能ブロック１２によって選択ボタン７６がクリックされることをトリガーとしてセレクトランダムサウンドスクリプトが起動される（Ｓ２２）。詳細は図６、７に示される。
【００４７】
また、スペースキー７８（図示せずシステムに接続された入力用キーボードに設けられる）が選択されるか、画面上に表示されるスピーカーアイコン８０が選択されて、音声発音データ再生機能ブロック１４が選択された発音記号の録音されたものが再生される（Ｓ２４）。
【００４８】
次に、再生された音声の発音記号が選択されることで、発音記号が受講生データベース２６のフォネティックレプレゼンテイション項目４８（Ｐｈｏｎｅｔｉｃ  Ｒｅｐｒｅｓｅｎｔａｔｉｏｎ）に記憶される（Ｓ２６）。
【００４９】
さらに、チェックボタン８２が選択されることで発音記号データ正誤判定機能ブロック１６が起動して音声認識スクリプトが実施される（Ｓ２８）。図８、９に詳細に示される。音声認識スクリプトによってこの第一の実施例は発音記号の聞き取り試験が完了する。
【００５０】
（音声認識データコピースクリプト）
更に詳細に、図４に音声認識データコピースクリプトを示す。本スクリプトは、正答率を算出するためのデータ準備となる。
【００５１】
アクセス者管理機能ブロック２２における音声認識データコピースクリプトが受講生データベース２６のステゥーデントレコード８４（Ｓｔｕｄｅｎｔ  Ｒｅｃｏｒｄｓ）へアクセスする（Ｓ３０）。
【００５２】
続いて音声認識データコピースクリプトによって、受講生データベース２６のサウンドアテンプト項目６０（Ｓｏｕｎｄ  Ａｔｔｅｍｐｔｓ）に記録されるデータが仮記憶領域部８６に保存される（Ｓ３２）。
【００５３】
次にペイストサウンドアテンプトスクリプトによって、受講生データベース２６のサウンドページに先の仮記憶領域部８６に保存されたサウンドアテンプト項目６０部のデータ（Ｓｏｕｎｄ  Ａｔｔｅｍｐｔｓ）がコピーされる（Ｓ３４）。
【００５４】
さらに音声認識データコピースクリプトによって、受講生データベース２６のサウンドコレクト項目６２（Ｓｏｕｎｄ  Ｃｏｒｒｅｃｔ）が仮記憶領域部８６に保存される（Ｓ３６）。
【００５５】
そのうえペイストサウンドコレクトスクリプトによって、受講生データベース２６のサウンドページに先に保存された仮記憶領域部８６のデータがサウンドコレクト項目６２（Ｓｏｕｎｄ  Ｃｏｒｒｅｃｔ）へコピーされる（Ｓ３８）。
【００５６】
カーソルは、画面のフォネティックレプレゼンテイション表示ボックス７０（Ｐｈｏｎｅｔｉｃ  Ｒｅｐｒｅｓｅｎｔａｔｉｏｎ）に移動されてその後音声認識データコピースクリプトが完了する（Ｓ４０）。
【００５７】
（ランダム音声スクリプト）
続いて、発音記号問題をランダムに出題するスクリプトであるランダム音声スクリプトについて図５を用いて詳細に述べる。
【００５８】
まず、ランダム音声スクリプトは検索モードに設定される（Ｓ４２）。次に、受講生データベース２６の「セレクション」Ｓｅｌｅｃｔｉｏｎ領域にテキスト、サウンド（ＳＯＵＮＤ）が入力される（Ｓ４４）。そこで、検索が実行される（Ｓ４６）。
【００５９】
さらに、発音記号データベース２４の（ランダマイザー）Ｒａｎｄｏｍｉｚｅｒ  データベース（ｄａｔａｂａｓｅ）にはあらかじめ６種類の選択手法が登録されている（Ｓ４８）。
【００６０】
そこで、この検索によって４２個の発音記号の一つをランダムに選択するサウンド（Ｓｏｕｎｄ）記録が選択される（Ｓ４８）。
【００６１】
ランダムな選択手法を使用することで、発音記号の出題順序の予想がつかない出題を可能とする。
【００６２】
（セレクトランダムサウンドスクリプト）
続いて図６、図７にセレクトランダムサウンドスクリプトの詳細について示す。セレクトランダムサウンドスクリプトは、発音記号を選択して表示させるスクリプトである。
【００６３】
フォネティックレプレゼンテイション項目４８（Ｐｈｏｎｅｔｉｃ  Ｒｅｐｒｅｓｅｎｔａｔｉｏｎ）の値が空である場合（Ｓ５２）は、表示機能ブロック２０がセレクトシンボル（Ｓｅｌｅｃｔ  ｓｙｍｂｏｌ）を画面に表示してスクリプトは終了となる（Ｓ５４）。
【００６４】
受講生データベース２６のフォネティックレプレゼンテイション項目４８（Ｐｈｏｎｅｔｉｃ  Ｒｅｐｒｅｓｅｎｔａｔｉｏｎ）が空でない場合であって、サウンドレザルト項目５２（Ｓｏｕｎｄ  Ｒｅｓｕｌｔ）が空であってフォネティックレプレゼンテイション項目４８（Ｐｈｏｎｅｔｉｃ  Ｒｅｐｒｅｓｅｎｔａｔｉｏｎ）の内容がテキスト“ｏｋ”と等しくない場合（Ｓ５６）に、画面上にチェックフォネティックシンボル（Ｃｈｅｃｋ  ｐｈｏｎｅｔｉｃ  ｓｙｍｂｏｌｓ）の表示を示してスクリプトは終了となる（Ｓ５８）。
【００６５】
次に、データのうち受講生データベース２６のフォネティックレプレゼンテイション項目４８（Ｐｈｏｎｅｔｉｃ  Ｒｅｐｒｅｓｅｎｔａｔｉｏｎ），マウスポジション項目５０（Ｍｏｕｔｈ  Ｐｏｓｉｔｉｏｎ），  サウンド項目４６（Ｓｏｕｎｄ），  サウンドレザルト項目５２（Ｓｏｕｎｄ  Ｒｅｓｕｌｔ），  とコレクトシンボル項目５４（Ｃｏｒｒｅｃｔ  Ｓｙｍｂｏｌｓ）の各領域は削除されている（Ｓ６０）。
【００６６】
ここで、サウンドアテンプト項目６０（Ｓｏｕｎｄ  Ａｔｔｅｍｐｔｓ）の数値が１増加する（Ｓ６２）。
【００６７】
次にランダムサウンド選択スプリクト、ランダマイザー（Ｒａｎｄｏｍｉｚｅｒ）すなわち出題用発音記号選択プログラムが実行される（Ｓ６４）。ここで、このランダマイザーが実行されると、サーチモードとなる。次にサウンド（Ｓｏｕｎｄｓ）というテキストが受講生データベース２６のセレクション項目９４（Ｓｅｌｅｃｔｉｏｎ）に入力される。検索が実行される。アルゴリズムに由来する受講生データベース２６のフロム項目８８（ｆｒｏｍ）とトゥ項目９０（ｔｏ）とに示されるランダム数は受講生データベース２６のｎｕｍｂｅｒ項目９２に記憶される。そのナンバー項目９２（ｎｕｍｂｅｒ）は仮記憶領域部８６に記憶される。
【００６８】
続いてサウンドセレクションスクリプト（Ｓｏｕｎｄ  Ｓｅｌｅｃｔｉｏｎ）（フォネティックス）が実行される。まず、サーチモードとなる。先の一時記憶部に記憶されたナンバー項目９２（ｎｕｍｂｅｒ）の値は受講生データベース２６のサウンドナンバー項目９６（Ｓｏｕｎｄ  Ｎｕｍｂｅｒ）に記憶される。ここで、受講生データベース２６のモデルサウンド領域（Ｍｏｄｅｌ  Ｓｏｕｎｄ）のデータは仮記憶領域部８６に記憶される。次に受講生データベース２６のユーズド領域（Ｕｓｅｄ）の値は１増加させる。
【００６９】
次に一時記憶部に記憶された受講生データベース２６のモデルサウンド項目９８（Ｍｏｄｅｌ  Ｓｏｕｎｄ）のデータはサウンド項目４６（Ｓｏｕｎｄ）に記憶される（Ｓ６６）。
【００７０】
続いて図７に示されるコピーマウスポジションスクリプト（Ｃｏｐｙ  Ｍｏｕｔｈ  Ｐｏｓｉｔｉｏｎ）が受講生データベース２６のマウスポジション項目５０（Ｍｏｕｔｈ  Ｐｏｓｉｔｉｏｎ）のデータを仮記憶領域部８６にコピーして実行される（Ｓ６８）。
【００７１】
仮記憶領域部８６のデータは受講生データベース２６のマウスポジション項目５０（Ｍｏｕｔｈ  Ｐｏｓｉｔｉｏｎ）に記憶される（Ｓ７０）。
【００７２】
画面上でサウンド領域（Ｓｏｕｎｄ）にカーソルが移動される（Ｓ７２）。
【００７３】
スクリプトが完了して画面上のサウンド領域（Ｓｏｕｎｄ）にスピーカーアイコン８０が表示される（Ｓ７４）。この後に、図３における工程Ｓ２２に戻る。
（発音記号表示チェックスクリプト）
続いて、メインプログラムにおける音声認識プログラムＳ２８の詳細を、図８、９、１０を用いて示す。
【００７４】
先ず初めに受講生データベース２６におけるフォネティックレプレゼンテイション項目４８（Ｐｈｏｎｅｔｉｃ  Ｒｅｐｒｅｓｅｎｔａｔｉｏｎ）が空であるかあるいは“ｏｋ”が記憶されているか否かが判定される（Ｓ８０）。続いてフォネティックレプレゼンテイション項目４８（Ｐｈｏｎｅｔｉｃ  Ｒｅｐｒｅｓｅｎｔａｔｉｏｎ）が空で有る場合は「フォネティックシンボルを入力してください」“Ｅｎｔｅｒ  Ｐｈｏｎｅｔｉｃ  ｓｙｍｂｏｌｓ  ｂｅｆｏｒｅ  ｐｒｏｃｅｅｄｉｎｇ”が画面上に表示されてスクリプトは終了する（Ｓ８２）。
【００７５】
次に受講生データベース２６におけるサウンドレザルト項目５２（Ｓｏｕｎｄ  Ｒｅｓｕｌｔ）が空か否かを判定する（Ｓ８４）。結果が空でない場合は、「完了です。新しいセレクションを作成してください」“Ｃｏｍｐｌｅｔｅｄ．  Ｍａｋｅ  ｎｅｗ  ｓｅｌｅｃｔｉｏｎ”と表示してスクリプトが完了する（Ｓ８６）。
【００７６】
フォネティックレプレゼンテイション項目４８（Ｐｈｏｎｅｔｉｃ  Ｒｅｐｒｅｓｅｎｔａｔｉｏｎ）のデータは仮記憶領域部８６に記憶される（Ｓ８８）。
【００７７】
続いてサウンドベリフィクションスクリプト（Ｓｏｕｎｄ  Ｖｅｒｉｆｉｃａｔｉｏｎ）フォネティクス（Ｐｈｏｎｅｔｉｃｓ）が実行される（Ｓ９０）。
【００７８】
ここで、まず、仮記憶領域部８６に記憶されたフォネティックレプレゼンテイション項目４８（Ｐｈｏｎｅｔｉｃ  Ｒｅｐｒｅｓｅｎｔａｔｉｏｎ）のデータは、受講生データベース２６におけるホルドシンボル項目４０（Ｈｏｌｄ  Ｓｙｍｂｏｌ）に記憶される。
【００７９】
次にホルドシンボル項目４０（Ｈｏｌｄ  Ｓｙｍｂｏｌ）のデータとサウンドシンボル項目１００（Ｓｏｕｎｄ  Ｓｙｍｂｏｌ）のデータが完全に一致している場合は、受講生データベース２６におけるレザルト項目４２（Ｒｅｓｕｌｔ）にテキスト（Ｔｅｘｔ）コレクト（Ｃｏｒｒｅｃｔ）が入力される。
【００８０】
一方、ホルドシンボル項目４０（Ｈｏｌｄ  Ｓｙｍｂｏｌ）のデータとサウンドシンボル項目１００（Ｓｏｕｎｄ  Ｓｙｍｂｏｌ）のデータが完全には一致していない場合は、受講生データベース２６におけるレザルト項目４２（Ｒｅｓｕｌｔ）にテキスト（Ｔｅｘｔ）  「不正解です。正解シンボルは」“Ｉｎｃｏｒｒｅｃｔ  Ｔｈｅ  ｃｏｒｒｅｃｔ  ｓｙｍｂｏｌ  ｉｓ”が入力される。
【００８１】
さらに、レザルト項目４２（Ｒｅｓｕｌｔ）のデータは仮記憶領域部８６に記憶される。
【００８２】
次に仮記憶領域部８６に記憶されたレザルト項目４２（Ｒｅｓｕｌｔ）のデータは受講生データベース２６におけるサウンドレザルト項目５２（Ｓｏｕｎｄ  Ｒｅｓｕｌｔ）に記憶される（Ｓ９２）。
【００８３】
続いて図９において、受講生データベース２６におけるレザルト項目４２（Ｒｅｓｕｌｔ）のテキスト（Ｔｅｘｔ）が「不正解です。正解シンボルは」“Ｉｎｃｏｒｒｅｃｔ  Ｔｈｅ  ｃｏｒｒｅｃｔ  ｓｙｍｂｏｌ  ｉｓ”で有るか否かを判定する（Ｓ９４）。正しい場合は、コピーシンボルスクリプト（Ｃｏｐｙ  Ｓｙｍｂｏｌ）が実行される。サウンドシンボル項目１００（Ｓｏｕｎｄ  Ｓｙｍｂｏｌ）のデータが複写されて終了する（Ｓ９６）。
【００８４】
一方、異なっている場合は、コレクトシンボル項目５４（Ｃｏｒｒｅｃｔ  Ｓｙｍｂｏｌｓ）内に複写データが蓄積される。また、サウンドエラー項目５６（Ｓｏｕｎｄ  Ｅｒｒｏｒｓ）にもまた記憶される（Ｓ９８）。
【００８５】
続いて、受講生データベース２６におけるレザルト項目４２（Ｒｅｓｕｌｔ）のテキスト（Ｔｅｘｔ）が「不正解です。正解シンボルは」“Ｉｎｃｏｒｒｅｃｔ  Ｔｈｅ  ｃｏｒｒｅｃｔ  ｓｙｍｂｏｌ  ｉｓ”で無い場合を示す（Ｓ１００）。この場合、フォネティックレプレゼンテイション項目４８（Ｐｈｏｎｅｔｉｃ  Ｒｅｐｒｅｓｅｎｔａｔｉｏｎ）のデータは、コレクトサウンド項目５８（Ｃｏｒｒｅｃｔ  Ｓｏｕｎｄｓ）に記憶される。サウンドコレクト項目６２（Ｓｏｕｎｄ  Ｃｏｒｒｅｃｔ）の値は１増加する（Ｓ１０２）。
【００８６】
カーソルは、画面上のサウンド表示ボックス１０２（Ｓｏｕｎｄ）に移動される（Ｓ１０４）。
【００８７】
さらに図１０に従って示す。続いてサウンドアテンプト項目６０（Ｓｏｕｎｄ  Ａｔｔｅｍｐｔｓ）の値が１００未満であり、かつサウンドスコア−項目１０４（Ｓｏｕｎｄ  Ｓｃｏｒｅ）の値が０．９４９未満である場合は（Ｓ１０６）、スクリプトは中止される（Ｓ１０８）。
【００８８】
次にサウンドアテンプト項目６０（Ｓｏｕｎｄ  Ａｔｔｅｍｐｔｓ）の値が１００以上であり、かつサウンドスコア−項目１０４（Ｓｏｕｎｄ  Ｓｃｏｒｅ）の値が０．９４９以上である場合は（Ｓ１１０）、タイムストップスクリプト（Ｔｉｍｅ  Ｓｔｏｐ）  （学生記憶）が実行される。
【００８９】
ここで、タイムストップスクリプト（Ｔｉｍｅ  Ｓｔｏｐ）は、統計的レイアウトを実施する。続いて現在の時刻がストップ領域（ＳＴＯＰ）に記憶される。
【００９０】
その後、エンタートータルプラクティスタイムスクリプト（Ｅｎｔｅｒ  Ｔｏｔａｌ  Ｐｒａｃｔｉｃｅ  Ｔｉｍｅ）が実行される。ここで、エンタートータルプラクティスタイムスクリプト（Ｅｎｔｅｒ  Ｔｏｔａｌ  Ｐｒａｃｔｉｃｅ  Ｔｉｍｅ）は、第一にサウンドパスト項目１０６（Ｓｏｕｎｄ  Ｐａｓｓｅｄ）が空である場合は、タイム項目１０８（Ｔｉｍｅ）の値にＳｎｄｓタイム項目１１０（Ｓｎｄｓ  Ｔｉｍｅ）の値が加えられてスクリプトが完了する。
【００９１】
第二にワードレベル１パスト項目１１２（Ｗｏｒｄｓ  Ｌｅｖｅｌ  １  Ｐａｓｓｅｄ）が空である場合は、タイムサウンドパスト項目１０６領域（Ｔｉｍｅ  Ｓｏｕｎｄ  Ｐａｓｓｅｄ）の値にＷＬ１タイム項目１１４領域（ＷＬ１  Ｔｉｍｅ）の値が加えられてスクリプトが完了する。
【００９２】
第三にワードレベル２パスト項目１１６（Ｗｏｒｄｓ  Ｌｅｖｅｌ  ２  Ｐａｓｓｅｄ）が空である場合は、タイム項目１０８（Ｔｉｍｅ）の値にＷＬ１  タイム項目１１８（ＷＬ２  Ｔｉｍｅ）の値が加えられてスクリプトが完了する。
【００９３】
第四にワードレベル３パスト項目１２０（Ｗｏｒｄｓ  Ｌｅｖｅｌ  ３  Ｐａｓｓｅｄ）が空である場合は、「タイム」Ｔｉｍｅ項目１０８の値にＷＬ３  タイム項目１２２（ＷＬ３  Ｔｉｍｅ）の値が加えられてスクリプトが完了する。
【００９４】
第五にワードレベル４  パスト項目１２４域（Ｗｏｒｄｓ  Ｌｅｖｅｌ  ４  Ｐａｓｓｅｄ）が空である場合は、タイム項目１０８（Ｔｉｍｅ）の値にＷＬ１  タイム項目１２６（ＷＬ４  Ｔｉｍｅ）の値が加えられてスクリプトが完了する。
【００９５】
タイムストップスクリプト（Ｔｉｍｅ  Ｓｔｏｐ）が終了すると、カーソルは画面上のプラクティスデイト領域（Ｐｒａｃｔｉｃｅ  Ｄａｔｅｓ）に移動する。
【００９６】
続いて「あなたは音声認識テストに合格しました。ワード−レベルへ進んでください」“Ｙｏｕ  ｈａｖｅ  ｐａｓｓｅｄ  ｔｈｅ  Ｓｏｕｎｄ  Ｒｅｃｏｇｎｉｔｉｏｎ  Ｔｅｓｔ．  Ｐｒｏｃｅｅｄ  ｔｏ  Ｗｏｒｄｓ−Ｌｅｖｅｌ”と表示される（Ｓ１１２）。
【００９７】
さらに、ペイストサウンドパストスクリプト（Ｐａｓｔ  Ｓｏｕｎｄｓ  Ｐａｓｓｅｄ）が実施されて、パスト（Ｐａｓｓｅｄ）のテキストがサウンドパスト項目１２８（Ｓｏｕｎｄ  Ｐａｓｓｅｄ）に記憶される（Ｓ１１４）。
【００９８】
次に「音声認識を終了します」“Ｅｎｄ  Ｓｏｕｎｄ  Ｒｅｃｏｇｎｉｔｉｏｎ  Ｔｅｓｔ”スクリプトは、実施される。ここで、注意すべきは、画面上のエグジット（ＥＸＩＴ）ボタンがマウスによってクリックされるとこのスクリプトが実行されることである。
【００９９】
この「音声認識を終了します」“Ｅｎｄ  Ｓｏｕｎｄ  Ｒｅｃｏｇｎｉｔｉｏｎ  Ｔｅｓｔ”スクリプトは第一に、サウンドアテンプト項目６０（Ｓｏｕｎｄ  Ａｔｔｅｍｐｔｓ）のデータを仮記憶領域部８６に記憶させる。
【０１００】
第二にペイストサウンドアテンプトスクリプト（Ｐａｓｔｅ  Ｓｏｕｎｄ  Ａｔｔｅｍｐｔｓ）ステゥーデントレコード（Ｓｔｕｄｅｎｔ  Ｒｅｃｏｒｄｓ）が実行され、仮記憶領域部８６に記憶させたデータがサウンドアテンプト項目６０（Ｓｏｕｎｄ  Ａｔｔｅｍｐｔｓ）に記憶される。
【０１０１】
第三にペイストサウンドアテンプトスクリプト（Ｐａｓｔｅ  Ｓｏｕｎｄ  Ａｔｔｅｍｐｔｓ）メニュー（ＭＥＮＵ）が実行されサウンドアテンプト表示ボックス７２（Ｓｏｕｎｄ  Ａｔｔｅｍｐｔ）に前記記憶したデータが表示される。
【０１０２】
第四にサウンドコレクト項目６２（Ｓｏｕｎｄ  Ｃｏｒｒｅｃｔ）のデータが仮記憶領域部８６に記憶させる。
【０１０３】
第五にペイストサウンドコレクトスクリプト（Ｐａｓｔｅ  Ｓｏｕｎｄ  Ｃｏｒｒｅｃｔ）ステゥーデントレコード（Ｓｔｕｄｅｎｔ  Ｒｅｃｏｒｄｓ）が実行されて仮記憶領域部８６に記憶されたデータはサウンドコレクト項目６２（Ｓｏｕｎｄ  Ｃｏｒｒｅｃｔに記憶される。
【０１０４】
第六にペイストサウンドコレクトスクリプト（Ｐａｓｔｅ  Ｓｏｕｎｄ  Ｃｏｒｒｅｃｔ）メニュー  （ＭＥＮＵ）が実行されて仮記憶領域部８６に記憶されたデータはサウンドコレクト表示ボックス７４（Ｓｏｕｎｄ  Ｃｏｒｒｅｃｔ）に記憶される。
【０１０５】
第七にサウンドスコア−項目１０４（Ｓｏｕｎｄ  Ｓｃｏｒｅ）のデータを仮記憶領域部８６に記憶させ、画面上においてカーソルは次の領域に移動させる。
【０１０６】
第八にペイストサウンドスコア−スクリプト（Ｐａｓｔｅ  Ｓｏｕｎｄ  Ｓｃｏｒｅ）ステゥーデントレコード（Ｓｔｕｄｅｎｔ  Ｒｅｃｏｒｄｓ）が実行されて仮記憶領域部８６に記憶されたデータはサウンド  スコア−項目１０４（Ｓｏｕｎｄ  Ｓｃｏｒｅ）に記憶される。
【０１０７】
第九にペイストサウンドスコア−スクリプト（Ｐａｓｔｅ  Ｓｏｕｎｄ  Ｓｃｏｒｅ）メニュー（ＭＥＮＵ）が実行されて仮記憶領域部８６に記憶されたデータはサウンドスコア−項目１０４（Ｓｏｕｎｄ  Ｓｃｏｒｅ）に記憶される。
【０１０８】
続いて図１１に本発明に係るプログラムを実行した際の表示画面を示す。
【０１０９】
表示画面は、第一弾に標題と使用説明がなされており、第２段目にフォネティックレプレゼンテイション表示ボックス７０（Ｐｈｏｎｅｔｉｃ  Ｒｅｐｒｅｓｅｎｔａｔｉｏｎ）と、発音時の舌の位置画像７１と、サウンドアテンプト表示ボックス７２（Ｓｏｕｎｄ  Ａｔｔｅｍｐｔ）と、サウンドコレクト表示ボックス７４（Ｓｏｕｎｄ  Ｃｏｒｒｅｃｔ）と、サウンドスコア−表示ボックス７５（Ｓｏｕｎｄ  Ｓｃｏｒｅ）とが配置される。
【０１１０】
その下段に選択ボタン７６と、スピーカーアイコン８０と、チェックボタン８２と、結果表示ボックス８３が配置される。さらに、その下段には発音記号キー７７が配置され、さらに最下段はコレクトサウンド表示ブロック５９（Ｃｏｒｒｅｃｔ  Ｓｏｕｎｄｓ）と、サウンドエラー表示ブロック５７（Ｓｏｕｎｄ  Ｅｒｒｏｒｓ）が配置される。
【０１１１】
フォネティックレプレゼンテイション表示ボックス７０（Ｐｈｏｎｅｔｉｃ  Ｒｅｐｒｅｓｅｎｔａｔｉｏｎ）は、発音記号表示部であり発音記号キー７７で入力された記号が表示される。
【０１１２】
発音時の舌の位置画像７１は、フォネティックレプレゼンテイション表示ボックス７０（Ｐｈｏｎｅｔｉｃ  Ｒｅｐｒｅｓｅｎｔａｔｉｏｎ）で表示される発音記号の発音時の舌や唇や歯の位置を示す写真やイラストの表示である。サウンドアテンプト表示ボックス７２（Ｓｏｕｎｄ  Ａｔｔｅｍｐｔ）は、本試験を試みた回数を表示するボックスである。
【０１１３】
サウンドコレクト表示ボックス７４（Ｓｏｕｎｄ  Ｃｏｒｒｅｃｔ）は、正解数が表示されるボックスである。この正回数は予め定めた時点からの正解数である。
【０１１４】
サウンドスコア−表示ボックス７５（Ｓｏｕｎｄ  Ｓｃｏｒｅ）は、正解率を示すものであって、サウンドコレクト（Ｓｏｕｎｄ  Ｃｏｒｒｅｃｔ）をサウンドアテンプト（Ｓｏｕｎｄ  Ａｔｔｅｍｐｔ）で割ったものを百分率で表している。
【０１１５】
選択ボタン７６は、出題問題を決定するための開始ボタンである。
【０１１６】
スピーカーアイコン８０は、出題された音声を再生するためのボタンである。
【０１１７】
チェックボタン８２は、発音記号キー７７で入力された発音記号が、出題と一致しているかを確認するためのボタンである。
【０１１８】
結果表示ボックス８３は、チェックボタンでチェックされた結果を表示するためのボタンである。
【０１１９】
発音記号キー７７は、発音記号のうち必要最小限な４２記  号を並べたものである。
このキーボードによって入力される。
【０１２０】
コレクトサウンド表示ブロック５９（Ｃｏｒｒｅｃｔ  Ｓｏｕｎｄｓ）は、出題されて正解だった記号が表示されるブロックである。
【０１２１】
サウンドエラー表示ブロック５７（Ｓｏｕｎｄ  Ｅｒｒｏｒｓ）は、出題されて不正解だった記号が表示されるブロックである。
【０１２２】
以上のように作用することで、発音記号をランダムに本発明の装置から発生させて、その結果に対して正答率を計算させることができるプログラムを提供することができ、独学で発音記号を学習することができる。
【実施例２】
【０１２３】
続いて本発明に係る単語の音声発音教育プログラムについて図１２〜２６を参照して説明する。
【０１２４】
本発明に係る音声発音教育装置について発音記号に関する実施例１との差異としては、データベースとして図１に示す発音記号データベース２４に対して単語音声データベース２８とメインサーバ８が接続されている点で異なる。
【０１２５】
単語音声データベース２８は、主には単語の綴り情報と発音記号表記情報と単語の音声データ情報とから構成される。
【０１２６】
次に本発明に係る音声発音教育装置による音声発音教育方法のフローチャートについて図１２から図２３を用いて説明する。特に図１２、図１３がメインフローであり、図１４から図２３にサブルーチンフローを示す。
【０１２７】
先ず、初めに“Ｔｅｓｔ”ボタンが選択されるとメインフローであるテストワードレベル１スクリプト（Ｔｅｓｔ  Ｗｏｒｄｓ  Ｌｅｖｅｌ  １）が実行される（Ｓ１３０）。
【０１２８】
次にサウンドパスト領域（Ｓｏｕｎｄｓ  Ｐａｓｓｅｄ）が空で有る場合（Ｓ１３２）は、画面上に「このテストの受験前にフォネティック音声認識試験を完了してください」“Ｙｏｕ  ｍｕｓｔ  ｃｏｍｐｌｅｔｅ  ｔｈｅ  Ｐｈｏｎｅｔｉｃ  Ｓｏｕｎｄｓ  Ｒｅｃｏｇｎｉｔｉｏｎ  Ｔｅｓｔ  ｂｅｆｏｒｅ  ｔａｋｉｎｇ  ｔｈｉｓ  ｔｅｓｔ”  と表示されスクリプトが終了する（Ｓ１３４）。
【０１２９】
ワードレベル１パスト領域（Ｗｏｒｄｓ  Ｌｅｖｅｌ  １  Ｐａｓｓｅｄ）にパスト（Ｐａｓｓｅｄ）の文字が出現している場合は（Ｓ１３６）、「あなたはすでにワードレベルテスト１に合格しています」“Ｙｏｕ  ｈａｖｅ  ａｌｒｅａｄｙ  ｓｕｃｃｅｓｓｆｕｌｌｙ  ｐａｓｓｅｄ  ｔｈｅ  Ｗｏｒｄｓ  Ｌｅｖｅｌ  １  ｔｅｓｔ”のメッセージが画面上に表示され、スクリプトが終了する（Ｓ１３８）。
【０１３０】
さらにセレクトワードレベル１スクリプト（Ｓｅｌｅｃｔ  Ｗｏｒｄｓ  Ｌｅｖｅｌ  １）が実行される。プログラムはセレクトレベル項目１３２（Ｓｅｌｅｃｔ  Ｌｅｖｅｌ）に文字「１」が記憶される（Ｓ１４０）。
【０１３１】
ランダムワードレベル１スクリプト（Ｒａｎｄｏｍ  Ｗｏｒｄ  Ｌｅｖｅｌ  １）ランダマイザー（Ｒａｎｄｏｍｉｚｅｒ）が実施される（Ｓ１４２）。まず、検索モードが活性化される。続いて文字ワードレベル１（Ｗｏｒｄｓ  Ｌｅｖｅｌ  １）情報が１セレクション項目９４（Ｓｅｌｅｃｔｉｏｎ）に記憶される。検索モードが完了する。
【０１３２】
続いてクリアーフィールドスクリプト（Ｃｌｅａｒ  Ｆｉｅｌｄｓ）が実行される（Ｓ１４４）。すなわち、データベース上のあらゆる記録が引き出される。さらに「ホルド  シンボル」Ｈｏｌｄ  Ｓｙｍｂｏｌ項目４０とホルドスペリング項目１３４（Ｈｏｌｄ  Ｓｐｅｌｌｉｎｇ）と、シンボルレザルト項目１３６（Ｓｙｍｂｏｌｓ  Ｒｅｓｕｌｔ）とユーズド項目１３４（Ｕｓｅｄ）の各領域の全ての記録されるデータが削除される。  さらにファインドＩ．Ｄ．  （Ｓ）スクリプト（Ｆｉｎｄ  Ｉ．Ｄ．）、ステゥーデントレコード（Ｓｔｕｄｅｎｔ  Ｒｅｃｏｒｄ）が実行される。まず、検索モードが開始される。次に文字シングルユーザー（Ｓｉｎｇｌｅ  Ｕｓｅｒ）が“Ｉ．Ｄ．”領域に入力されて記録される。検索モードが完了する。
【０１３３】
ここで、図１３に移り、クリアーワードフィールドスクリプト（Ｃｌｅａｒ  Ｗｏｒｄ  Ｆｉｅｌｄｓ）が実行される（Ｓ１４８）。各パートオブスピーチ項目１４０（Ｐａｒｔ  ｏｆ  Ｓｐｅｅｃｈ），ワードスペリング項目１４２（Ｗｏｒｄ  Ｓｐｅｌｌｉｎｇ），ワードスペリングレザルト項目１４４（Ｗｏｒｄ  Ｓｐｅｌｌｉｎｇ  Ｒｅｓｕｌｔ），コレクトワードスペリング項目１４６（Ｃｏｒｒｅｃｔ  Ｗｏｒｄ  Ｓｐｅｌｌｉｎｇ），フォネティックレプレゼンテイション項目１４８（Ｐｈｏｎｅｔｉｃ  Ｒｅｐｒｅｓｅｎｔａｔｉｏｎ），サウンドレザルト項目１５０（Ｓｏｕｎｄ  Ｒｅｓｕｌｔ），コレクトシンボル項目１５２（Ｃｏｒｒｅｃｔ  Ｓｙｍｂｏｌｓ），フォネティックエラー項目１５４（Ｐｈｏｎｅｔｉｃ  Ｅｒｒｏｒｓ），スペリングエラー項目１５６（Ｓｐｅｌｌｉｎｇ  Ｅｒｒｏｒｓ），ワードアテンプト項目１５８（Ｗｏｒｄ  Ａｔｔｅｍｐｔｓ），シンボルコレクト項目１６０（Ｓｙｍｂｏｌｓ  Ｃｏｒｒｅｃｔ），スペリングコレクト項目１６２（Ｓｐｅｌｌｉｎｇ  Ｃｏｒｒｅｃｔ），トータルコレクト項目１６４（Ｔｏｔａｌ  Ｃｏｒｒｅｃｔ），およびサウンド項目１６６（Ｓｏｕｎｄ）からのデータが消去される。続いて、フォネティック  レプレゼンテイション（Ｐｈｏｎｅｔｉｃ  Ｒｅｐｒｅｓｅｎｔａｔｉｏｎ）領域のカーソルが移動する。
【０１３４】
続いてコピーワードレベルレコグニションデータスクリプト（Ｃｏｐｙ  Ｗｏｒｄ  Ｌｅｖｅｌ  Ｒｅｃｏｇｎｉｔｉｏｎ  Ｄａｔａ）ステゥーデントレコード（Ｓｔｕｄｅｎｔ  Ｒｅｃｏｒｄｓ）が実行される（Ｓ１５０）。更に詳細には図１４を参照しながら示す。第一にＬ１ワードアテンプト項目１７０（Ｌ１  Ｗｏｒｄ  Ａｔｔｅｍｐｔｓ）のデータが仮記憶領域部１７２に保存される（Ｓ１７０）。
【０１３５】
第二にペイストワードアテンプトスクリプト（Ｐａｓｔｅ  Ｗｏｒｄ  Ａｔｔｅｍｐｔｓ）は実行され、先の仮記憶領域部１７２に保存されたデータはワードアテンプト項目１７４（Ｗｏｒｄ  Ａｔｔｅｍｐｔ）に記憶される（Ｓ１７２）。
【０１３６】
第三にＬ１シンボルコレクト項目１７６（Ｌ１  Ｓｙｍｂｏｌｓ  Ｃｏｒｒｅｃｔ）のデータが仮記憶領域部１７２に保存される（Ｓ１７４）。
【０１３７】
第四にペイストシンボルコレクトスクリプト（Ｐａｓｔｅ  Ｓｙｍｂｏｌｓ  Ｃｏｒｒｅｃｔ）が実行され、先の仮記憶領域部１７２に保存されたデータはシンボルコレクト項目１６０（Ｓｙｍｂｏｌｓ  Ｃｏｒｒｅｃｔ）に記憶される（Ｓ１７６）。
【０１３８】
第五にＬ１スペリング  コレクト項目１７８（Ｌ１  Ｓｐｅｌｌｉｎｇ  Ｃｏｒｒｅｃｔ）のデータが仮記憶領域部１７２に保存される（Ｓ１７８）。
【０１３９】
第六にペイストスペリングコレクトスクリプト（Ｐａｓｔｅ  Ｓｐｅｌｌｉｎｇ  Ｃｏｒｒｅｃｔ）が実行され、先の仮記憶領域部１７２に保存されたデータはスペリングコレクト項目１８０（Ｓｐｅｌｌｉｎｇ  Ｃｏｒｒｅｃｔ）に記憶される（Ｓ１８０）。
【０１４０】
第七にＬ１トータルコレクト項目１８２（Ｔｏｔａｌ  Ｃｏｒｒｅｃｔ）のデータが仮記憶領域部１７２に保存される（Ｓ１８２）。
【０１４１】
第八にペイストトータルコレクトスクリプト（Ｐａｓｔｅ  Ｔｏｔａｌ  Ｃｏｒｒｅｃｔ）が実行され、先の仮記憶領域部１７２に保存されたデータはトータルコレクト項目１６４（Ｔｏｔａｌ  Ｃｏｒｒｅｃｔ）に記憶され、カーソルは画面上においてフォネティックレプレゼンテイション表示ブロック１６８（Ｐｈｏｎｅｔｉｃ  Ｒｅｐｒｅｓｅｎｔａｔｉｏｎ）に移動する（Ｓ１８４）。
【０１４２】
最後にプログラムはエクササイズデータベース（Ｅｘｅｒｃｉｓｅｓ  ｄａｔａｂａｓｅ）でワードページ（Ｗｏｒｄｓ（ｓ）ｐｓ）を開く（Ｓ１８６）。その後にメインフローにおけるコピーワードレベルレコグニションデータ（Ｃｏｐｙ  Ｗｏｒｄ  Ｌｅｖｅｌ  Ｒｅｃｏｇｎｉｔｉｏｎ  Ｄａｔａ）スクリプト（Ｓ１５０）に戻る。
【０１４３】
続いてセレクトボタン１８４（Ｓｅｌｅｃｔ）をシングルクリックすることでセレクトランダムワードスクリプト（Ｓｅｌｅｃｔ  Ｒａｎｄｏｍ  Ｗｏｒｄ（Ｓ））が実行される（Ｓ１５２）。図１５を参照して、第一にパートオブスピーチ項目１４０（Ｐａｒｔ  ｏｆ  Ｓｐｅｅｃｈ）にデータがないか否かが判断される（Ｓ１８８）。
【０１４４】
パートオブスピーチ項目１４０（Ｐａｒｔ  ｏｆ  Ｓｐｅｅｃｈ）にデータがない場合は、フォネティックレプレゼンテイション項目１８６（Ｐｈｏｎｅｔｉｃ  Ｒｅｐｒｅｓｅｎｔａｔｉｏｎ），サウンド項目１８８（Ｓｏｕｎｄ），サウンドレザルト項目１９０（Ｓｏｕｎｄ  ｒｅｓｕｌｔ），コレクトシンボル項目１９２（Ｃｏｒｒｅｃｔ  ｓｙｍｂｏｌｓ），ワードスペリング項目１９４（Ｗｏｒｄ  ｓｐｅｌｌｉｎｇ），ワードスペリングレザルト項目１９６（Ｗｏｒｄ  ｓｐｅｌｌｉｎｇ  ｒｅｓｕｌｔ），及びコレクトワードスペリング項目１９８（Ｃｏｒｒｅｃｔ  Ｗｏｒｄ  Ｓｐｅｌｌｉｎｇ）のデータが削除される（Ｓ１９０）。
【０１４５】
続いてワードアテンプト項目１７４（Ｗｏｒｄ  Ａｔｔｅｍｐｔ）の値を１増加させる（Ｓ１９２）。
【０１４６】
さらに、「誤答」“Ｗｒｏｎｇ  ｂｕｔｔｏｎ”と画面上に表示されてスクリプトが終了する（Ｓ１９４）。
【０１４７】
一方、パートオブスピーチ項目１４０（Ｐａｒｔ  ｏｆ  Ｓｐｅｅｃｈ）にデータが記憶されている場合は、レベル項目２００（Ｌｅｖｅｌ）のデータｎより、ランダムワードレベルｎセレクションスクリプト（Ｒａｎｄｏｍ  Ｗｏｒｄ  Ｌｅｖｅｌ  ｎ  Ｓｅｌｅｃｔｉｏｎ）ランダマイザー（Ｒａｎｄｏｍｉｚｅｒ）が実行される（Ｓ１９８）。そこで、検索モードが活性化する（Ｓ２００）。文字データワードレベルｎ（Ｗｏｒｄｓ  Ｌｅｖｅｌ  ｎ）がセレクション（Ｓｅｌｅｃｔｉｏｎ）項目２０２に入力される（Ｓ２０２）。検索が実行される（Ｓ２０４）。続いて乱数が生成されて、ナンバー項目２０４（ｎｕｍｂｅｒ）に入力されて仮記憶領域部１７２に入力される（Ｓ２０６）。
【０１４８】
さらに、ワードセレクションスクリプト（Ｗｏｒｄ  Ｓｅｌｅｃｔｉｏｎ）ワード（Ｗｏｒｄｓ）が実行される（Ｓ２０８）。
【０１４９】
続いて仮記憶領域部１７２に記憶されたデータはサウンド項目１６６（Ｓｏｕｎｄ）に記憶される（Ｓ２１０）。
【０１５０】
次に、コピータイプスクリプト（Ｃｏｐｙ  Ｔｙｐｅ）ワード（Ｗｏｒｄｓ）が実行され、タイプ項目２０６（Ｔｙｐｅ）のデータが仮記憶領域部１７２に入力される（Ｓ２１２）。
【０１５１】
この仮記憶領域部１７２データは、パートオブスピーチ項目１４０（Ｐａｒｔ  ｏｆ  Ｓｐｅｅｃｈ）に入力される（Ｓ２１４）。
【０１５２】
続いてプログラムは「ワード  レイアウト」“Ｗｏｒｄｓ（Ｓ）ｐｓ  ｌａｙｏｕｔ”を開始する（Ｓ２１４）。ここで、工程（Ｓ１５２）に戻る。
【０１５３】
工程（Ｓ１５２）に続いて、スペースキー入力またはスピーカーアイコンのダブルクリック入力によって選択されて再生された発音記号音声を録音させる（Ｓ１５４）。
【０１５４】
続いて単語発音用発音記号は画面の下側に配置された発音記号のボタンをクリックすることで、フォネティックレプレゼンテイション（Ｐｈｏｎｅｔｉｃ  Ｒｅｐｒｅｓｅｎｔａｔｉｏｎ）項目１４８内に入力される（Ｓ１５６）。
【０１５５】
さらに一度発音表現が入力されると生徒は、画面上に表示される青いｃｈｅｃｋボタン２０８をクリックすることで、テストへの試みを確認可能であり、チェックフォネティックレプレゼンテイションオブワードスクリプト（Ｃｈｅｃｋ  Ｐｈｏｎｅｔｉｃ  Ｒｅｐｒｅｓｅｎｔａｔｉｏｎ  ｏｆ  Ｗｏｒｄ（Ｓ））が実行される（Ｓ１５８）。さらに、詳細には図１６、１７を用いて説明する。
【０１５６】
フォネティックレプレゼンテイション項目１８６（Ｐｈｏｎｅｔｉｃ  Ｒｅｐｒｅｓｅｎｔａｔｉｏｎ）が空の場合は（Ｓ２２０）、画面上に「進める前にフォネティックシンボルを入力してください」“Ｅｎｔｅｒ  ｐｈｏｎｅｔｉｃ  ｓｙｍｂｏｌｓ  ｂｅｆｏｒｅ  ｐｒｏｃｅｅｄｉｎｇ”が表示されてスクリプトが停止される（Ｓ２２２）。
【０１５７】
フォネティックレプレゼンテイション項目１８６（Ｐｈｏｎｅｔｉｃ  Ｒｅｐｒｅｓｅｎｔａｔｉｏｎ）が空でなく、サウンドレザルト項目１９０（Ｓｏｕｎｄ  ｒｅｓｕｌｔ）が空で無い場合（Ｓ２２４）、画面上に「完了しました。ワードのスペリングを終了した後でニューセレクションを作成してください」“Ｃｏｍｐｌｅｔｅｄ．  Ｍａｋｅ  ａ  ｎｅｗ  ｓｅｌｅｃｔｉｏｎ  ａｆｔｅｒ  ｃｏｍｐｌｅｔｉｎｇ  ｔｈｅ  ｓｐｅｌｌｉｎｇ  ｏｆ  ｔｈｅ  ｗｏｒｄ”が表示され、カーソルは画面上のワードスペリング表示ブロック２１０（Ｗｏｒｄ  ｓｐｅｌｌｉｎｇ）へ移動し、スクリプトが停止される（Ｓ２２６）。
【０１５８】
続いて本プログラムによってフォネティックレプレゼンテイション項目１８６（Ｐｈｏｎｅｔｉｃ  Ｒｅｐｒｅｓｅｎｔａｔｉｏｎ）のデータが仮記憶領域部１７２に記憶される（Ｓ２２８）。
【０１５９】
さらに、サウンドシンボルベリフィケーションスクリプト（Ｓｏｕｎｄ  Ｓｙｍｂｏｌｓ  Ｖｅｒｉｆｉｃａｔｉｏｎ）ワード  （Ｗｏｒｄｓ）が実行される（Ｓ２３０）。さらに詳細には、第一に仮記憶領域部１７２に保存されたデータはホルドシンボル項目２１２（Ｈｏｌｄ  Ｓｙｍｂｏｌｓ）に入力される。第二にホルドシンボル項目２１２（Ｈｏｌｄ  Ｓｙｍｂｏｌｓ）のデータがフォネティックレプレゼンテイション項目１８６（Ｐｈｏｎｅｔｉｃ  Ｒｅｐｒｅｓｅｎｔａｔｉｏｎ）のデータと全く同一の場合、文字コレクト（Ｃｏｒｒｅｃｔ）はシンボルレザルト項目２１４（Ｓｙｍｂｏｌｓ  Ｒｅｓｕｌｔ）に入力される。第三に両者のデータが異なる場合は、文字「不正解です。正しいシンボルは」“Ｉｎｃｏｒｒｅｃｔ．  Ｔｈｅ  ｃｏｒｒｅｃｔ  ｓｙｍｂｏｌｓ  ａｒｅ”がシンボルレザルト項目２１４（Ｓｙｍｂｏｌｓ  Ｒｅｓｕｌｔ）に入力される。第四にシンボルレザルト項目２１４（Ｓｙｍｂｏｌｓ  Ｒｅｓｕｌｔ）のデータは仮記憶領域部１７２に保存される。
【０１６０】
次に仮記憶領域部１７２に保存されたデータは、サウンドレザルト項目１５０（Ｓｏｕｎｄ  Ｒｅｓｕｌｔ）に入力される（Ｓ２３２）。
【０１６１】
更に図１７に続いて、サウンドレザルト項目１５０（Ｓｏｕｎｄ  Ｒｅｓｕｌｔ）の文字が「不正解です。正しいシンボルは」“Ｉｎｃｏｒｒｅｃｔ．  Ｔｈｅ  ｃｏｒｒｅｃｔ  ｓｙｍｂｏｌｓ  ａｒｅ”に等しい場合（Ｓ２３４）は、コピーシンボルスクリプト（Ｃｏｐｙ  Ｓｙｍｂｏｌｓ）が実行される。次にフォネティックシンボル項目２１６（Ｐｈｏｎｅｔｉｃ  Ｓｙｍｂｏｌｓ）ワード（Ｗｏｒｄｓ）のデータは仮記憶領域部１７２に保存される。さらに、仮記憶領域部１７２に保存されたデータはコレクトシンボル項目１９２（Ｃｏｒｒｅｃｔ  ｓｙｍｂｏｌｓ）とフォネティックエラー（Ｐｈｏｎｅｔｉｃ  Ｅｒｒｏｒｓ）項目２１８に記憶される。
【０１６２】
さもなくば、シンボル  コレクト（Ｓｙｍｂｏｌｓ  Ｃｏｒｒｅｃｔ）領域の値は１増加する（Ｓ２４２）。
【０１６３】
さらに、ワードレイアウト（Ｗｏｒｄｓ（Ｓ）Ｌａｙｏｕｔ）が表示される（Ｓ２４４）。その後に図１３に示す工程（Ｓ１５８）に再び戻る。
【０１６４】
次に、受講生はキーボード配置の下部にあるボタンをクリックすることによりワード（Ｗｏｒｄ）のコレクトスペリング（ｃｏｒｒｅｃｔ  ｓｐｅｌｌｉｎｇ）を入力する（Ｓ１６０）。第一にボタンをクリックすることでワードスペリング領域（Ｗｏｒｄ  Ｓｐｅｌｌｉｎｇ）の綴りが入力される。第二にシフトボタン（ｓｈｉｆｔ）をクリックすることがワードレイアウト（Ｗｏｒｄ  （Ｓ）Ｅ  ｌａｙｏｕｔ）を変更することとなる。第三にシフトボタン（ＳＨＩＦＴ）をクリックすることがワードレイアウト（Ｗｏｒｄ  （Ｓ）Ｅ  ｌａｙｏｕｔ）を変更することとなる。
【０１６５】
続いて、チェックスペリングオブワードスクリプト（Ｃｈｅｃｋ  Ｓｐｅｌｌｉｎｇ  ｏｆ  Ｗｏｒｄ（Ｓ））が実行される。実行ボタンは画面上に表示されるチェックボタン（Ｃｈｅｃｋ）である（Ｓ１６２）。このチェックスペリングオブワードスクリプト（Ｃｈｅｃｋ  Ｓｐｅｌｌｉｎｇ  ｏｆ  Ｗｏｒｄ（Ｓ））（Ｓ１６２）を図１８から図２３を用いて詳細に説明する。特に図２０から図２３においてさらにサブスクリプトについて説明する。
【０１６６】
第一にワードスペリング項目１９４（Ｗｏｒｄ  ｓｐｅｌｌｉｎｇ）が空である場合（Ｓ２５０）は、「進める前に  フォネティック  シンボルを入力してください」“Ｅｎｔｅｒ  ｐｈｏｎｅｔｉｃ  ｓｙｍｂｏｌｓ  ｏｆ  ｔｈｅ  ｗｏｒｄ  ｂｅｆｏｒｅ  ｐｒｏｃｅｓｓｉｎｇ”と画面上に表示されてスクリプトが終了する（Ｓ２５２）。
【０１６７】
第二にサウンドレザルト項目１５０（Ｓｏｕｎｄ  Ｒｅｓｕｌｔ）が空である場合（Ｓ２５４）は、「進める前にフォネティック  シンボルを入力してください」“Ｃｈｅｃｋ  ｔｈｅ  ｐｈｏｎｅｔｉｃ  ｓｙｍｂｏｌｓ  ｏｆ  ｔｈｅ  ｗｏｒｄ  ｂｅｆｏｒｅ  ｐｒｏｃｅｅｄｉｎｇ”と画面上に表示されてスクリプトが終了する（Ｓ２５６）。
【０１６８】
第三に、ワードスペリング項目１９４（Ｗｏｒｄ  ｓｐｅｌｌｉｎｇ）が空である場合（Ｓ２５８）は、「進める前にワードのスペリングを入力してください」“Ｅｎｔｅｒ  ｓｐｅｌｌｉｎｇ  ｏｆ  ｔｈｅ  ｗｏｒｄ  ｂｅｆｏｒｅ  ｐｒｏｃｅｓｓｉｎｇ”と画面上に表示されてスクリプトが終了する（Ｓ２６０）。
【０１６９】
第四に、ワードスペリングレザルト項目１９６（Ｗｏｒｄ  ｓｐｅｌｌｉｎｇ  ｒｅｓｕｌｔ）が空である場合（Ｓ２６２）は、「スペリングは既にチェックされました」“Ｓｐｅｌｌｉｎｇ  ｈａｓ  ｂｅｅｎ  ｃｈｅｃｋｅｄ”と画面上に表示されてスクリプトが終了する（Ｓ２６４）。
【０１７０】
第五に、ワードスペリング項目１９４（Ｗｏｒｄ  ｓｐｅｌｌｉｎｇ）のデータは仮記憶領域部１７２に保存される。
【０１７１】
第六に、ワードスペリングベリフィケーションスクリプト（Ｗｏｒｄ  Ｓｐｅｌｌｉｎｇ  Ｖｅｒｉｆｉｃａｔｉｏｎ）が実行される（Ｓ２６８）。詳細を図２０に示す。
【０１７２】
ワードスペリングベリフィケーションスクリプト（Ｗｏｒｄ  Ｓｐｅｌｌｉｎｇ  Ｖｅｒｉｆｉｃａｔｉｏｎ）では、第一に「ホルド  スペリング」Ｈｏｌｄ  Ｓｐｅｌｌｉｎｇ項目１３４とスペリングレザルト項目２２２（Ｓｐｅｌｌｉｎｇ  Ｒｅｓｕｌｔ）のデータが初期設定として削除される（Ｓ２９０）。
【０１７３】
第二に先に仮記憶領域部１７２に保存されたデータはホルドスペリング項目１３４（Ｈｏｌｄ  Ｓｐｅｌｌｉｎｇ）に入力される（Ｓ２９２）。
【０１７４】
第三にホルドスペリング項目１３４（Ｈｏｌｄ  Ｓｐｅｌｌｉｎｇ）のデータが、ワード項目２２４（Ｗｏｒｄ）のデータと全く同じ場合（Ｓ２９４）、コレクト（Ｃｏｒｒｅｃｔ）の文字がスペリングレザルト項目２２２（Ｓｐｅｌｌｉｎｇ  Ｒｅｓｕｌｔ）に入力される（Ｓ２９６）。
【０１７５】
第四にスペリングレザルト項目２２２（Ｓｐｅｌｌｉｎｇ  Ｒｅｓｕｌｔ）のデータは仮記憶領域部１７２に保存される（Ｓ２９８）。
【０１７６】
その後スクリプトが完了する（Ｓ３００）。
【０１７７】
続いて、第五にホルドスペリング項目１３４（Ｈｏｌｄ  Ｓｐｅｌｌｉｎｇ）のデータが、ワード（Ｗｏｒｄ）項目２２４のデータと全く同じでない場合（Ｓ３０２）、「不正解です。正解のスペルは」“Ｉｎｃｏｒｒｅｃｔ．  Ｔｈｅ  ｃｏｒｒｅｃｔ  ｓｐｅｌｌｉｎｇ  ｉｓ”の文字がスペリングレザルト（Ｓｐｅｌｌｉｎｇ  Ｒｅｓｕｌｔ）項目２２２に入力される（Ｓ３０４）。
【０１７８】
第六にスペリングレザルト項目２２２（Ｓｐｅｌｌｉｎｇ  Ｒｅｓｕｌｔ）のデータは仮記憶領域部１７２に保存される（Ｓ３０６）。
【０１７９】
その後スクリプトが完了する（Ｓ３０８）。その後再び工程（Ｓ２６８）に戻る。
【０１８０】
一方、先に仮記憶領域部１７２に保存されたデータはワードスペリングレザルト項目１９６（Ｗｏｒｄ  ｓｐｅｌｌｉｎｇ  ｒｅｓｕｌｔ）のデータに入力される（Ｓ２７０）。
【０１８１】
続いてワードスペリングレザルト項目１９６（Ｗｏｒｄ  ｓｐｅｌｌｉｎｇ  ｒｅｓｕｌｔ）のデータが、「不正解です。正しいスペルは」“Ｉｎｃｏｒｒｅｃｔ．  Ｔｈｅ  ｃｏｒｒｅｃｔ  ｓｐｅｌｌｉｎｇ  ｉｓ”と等しい（Ｓ２７２）。コピーワードスクリプト（Ｔｈｅ  ｃｏｐｙ  Ｗｏｒｄ）が実行されて記憶された。
【０１８２】
コピーワードスクリプト（Ｃｏｐｙ  Ｗｏｒｄ）ワード（Ｗｏｒｄｓ）が実行され、ワード（Ｗｏｒｄ）項目２２４のデータをコピーする（Ｓ７２４）。続いて仮記憶領域部１７２に記憶されたデータをコレクトワードスペリング項目１４６（Ｃｏｒｒｅｃｔ  Ｗｏｒｄ  Ｓｐｅｌｌｉｎｇ）及びスペリングエラー項目１５６（Ｓｐｅｌｌｉｎｇ  Ｅｒｒｏｒｓ）に記憶する（Ｓ２７６）。
【０１８３】
ここで、スペリングエラー項目１５６（Ｓｐｅｌｌｉｎｇ  Ｅｒｒｏｒｓ）の値は、１増加する（Ｓ２７８）。
【０１８４】
次にワードアテンプト項目１５８（Ｗｏｒｄ  Ａｔｔｅｍｐｔｓ）の値が１００より大きいかあるいは等しい場合，“ワードスコアー項目２２６（ｗｏｒｄ  Ｓｃｏｒｅ）の値は、０．９４９より大きい（Ｓ２８０）。
【０１８５】
さらにパートオブスピーチ項目１４０（Ｐａｒｔ  ｏｆ  Ｓｐｅｅｃｈ）のデータが削除され、カーソルは画面上のフォネティックレプレゼンテイション表示ブロック１６８（Ｐｈｏｎｅｔｉｃ  Ｒｅｐｒｅｓｅｎｔａｔｉｏｎ）に移動する（Ｓ２８２）。その後に工程（Ｓ１６２）に移動する。
【０１８６】
ここで、（Ｓ２８０）工程についてさらに詳細に図２１を用いて説明する。
【０１８７】
そこで、第一にセレクトレベル（Ｓｅｌｅｃｔ  Ｌｅｖｅｌ）境界のデータが”４”である場合（Ｓ３２０）は、「おめでとうございます。第４および最終ワード認識テストを完了しました」”Ｃｏｎｇｒａｔｕｌａｔｉｏｎｓ！  Ｙｏｕ  ｈａｖｅ  ｃｏｍｐｌｅｔｅｄ  ｔｈｅ  ｆｏｕｒｔｈ  ａｎｄ  ｆｉｎａｌ  Ｗｏｒｄ  Ｒｅｃｏｇｎｉｔｉｏｎ  Ｔｅｓｔ”と画面上に表示される（Ｓ３２２）。
【０１８８】
第二にセレクトレベル境界（Ｓｅｌｅｃｔ  Ｌｅｖｅｌ）のデータが”４”でない場合は、「あなたはワード認識テストを完了しました。次のレベルにお進みください」”Ｙｏｕ  ｈａｖｅ  ｃｌｅａｒｅｄ  ｔｈｅ  Ｗｏｒｄｓ  Ｒｅｃｏｇｎｉｔｉｏｎ  Ｔｅｓｔ．  Ｇｏ  ｏｎ  ｔｈｅ  ｎｅｘｔ  ｌｅｖｅｌ”と画面上に表示される（Ｓ３２４）。
【０１８９】
第三にセレクトレベル項目１３２（Ｓｅｌｅｃｔ  Ｌｅｖｅｌ）の値がｎである場合（Ｓ３２６）は、ペイストワードレベルｎパストスクリプト（Ｐａｓｔｅ  Ｗｏｒｄｓ  Ｌｅｖｅｌ  ｎ  Ｐａｓｓｅｄ）ステゥーデントレコード（Ｓｔｕｄｅｎｔ  Ｒｅｃｏｒｄｓ）が実行され、ワードレベルｎパスト項目２２８（Ｗｏｒｌｄ  Ｌｅｖｅｌ  ｎ  Ｐａｓｓｅｄ）にパスト（Ｐａｓｓｅｄ）の文字が入力される（Ｓ３４０）。
【０１９０】
第三にセレクトレベル項目１３２（Ｓｅｌｅｃｔ  Ｌｅｖｅｌ）の値がｎでない場合（Ｓ３２６）は、さらにｎから１を減じ（Ｓ３２８）、再び（Ｓ３２６）に進む。ｎが１となるまで行なわれる。
【０１９１】
第四に画面上のワードレベルｎパスト項目２２８（Ｗｏｒｌｄ  Ｌｅｖｅｌ  ｎ  Ｐａｓｓｅｄ）にもパスト（Ｐａｓｓｅｄ）の文字が入力される（Ｓ３４２）。
【０１９２】
第五にエンドワードレベルｎレコグニションテストスクリプト（Ｅｎｄ  Ｗｏｒｄ  Ｌｅｖｅｌ  ｎ  Ｒｅｃｏｇｎｉｔｉｏｎ  Ｔｅｓｔ（Ｓ））が実行される（Ｓ３４４）。詳細を図２２及び図２３に示す。このスクリプトが完了すると（Ｓ２８０）に戻る。
【０１９３】
エンドワードレベルｎレコグニションテストスクリプト（Ｅｎｄ  Ｗｏｒｄ  Ｌｅｖｅｌ  ｎ  Ｒｅｃｏｇｎｉｔｉｏｎ  Ｔｅｓｔ（Ｓ））は、第一にワードアテンプト項目１７４（Ｗｏｒｄ  Ａｔｔｅｍｐｔ）のデータは、仮記憶領域部１７２に保存される（Ｓ３６０）。
【０１９４】
第二にペイストＬｎワードレベルｎレコグニションテストスクリプト（Ｐａｓｔｅ  Ｌｎ  Ｗｏｒｄ  Ｌｅｖｅｌ  ｎ  Ｒｅｃｏｇｎｉｔｉｏｎ  Ｔｅｓｔ（Ｓ））ステゥーデントレコード（Ｓｔｕｄｅｎｔ  Ｒｅｃｏｒｄｓ）が実行され、ステゥーデントレコードレイアウト（Ｓｔｕｄｅｎｔ  Ｒｅｃｏｒｄ  ｌａｙｏｕｔ）のＬｎワードアテンプト項目２３０（Ｌｎ  Ｗｏｒｄ  Ａｔｔｅｍｐｔ）に仮記憶領域部１７２に保存されたデータが入力される（Ｓ３６２）。
【０１９５】
第三に「ペイストワードレベルｎアテンプトスクリプト（Ｐａｓｔｅ  Ｗｏｒｄｓ  Ｌｅｖｅｌ  ｎ  Ａｔｔｅｍｐｔｓ）メニュー（ＭＥＮＵ）が実行され、ＷＬｎワードアテンプト項目２３２（ＷＬｎ  Ｗｏｒｄ  Ａｔｔｅｍｐｔｓ）内へ仮記憶領域部１７２に保存されたデータが入力される（Ｓ３６４）。
【０１９６】
第四にシンボルコレクト項目２２０（Ｓｙｍｂｏｌｓ  Ｃｏｒｒｅｃｔ）のデータは、仮記憶領域部１７２に保存される（Ｓ３６６）。
【０１９７】
第五にペイストＬｎシンボルコレクトスクリプト（Ｐａｓｔｅ  Ｌｎ  Ｓｙｍｂｏｌｓ  Ｃｏｒｒｅｃｔ）ステゥーデントレコード（Ｓｔｕｄｅｎｔ  Ｒｅｃｏｒｄｓ）が実行され、Ｌｎシンボルコレクト項目２３４（Ｌｎ  Ｓｙｍｂｏｌｓ  Ｃｏｒｒｅｃｔ）内に仮記憶領域部１７２に保存されたデータが入力される（Ｓ３６８）。
【０１９８】
第六にペイストワードレベルｎシンボルコレクトスクリプト（Ｐａｓｔｅ  Ｗｏｒｄｓ  Ｌｅｖｅｌ  ｎ  Ｓｙｍｂｏｌｓ  Ｃｏｒｒｅｃｔ）メニュー（ＭＥＮＵ）が実行されＷＬｎシンボルコレクト項目２３６（ＷＬｎ  Ｓｙｍｂｏｌｓ  Ｃｏｒｒｅｃｔ）内に仮記憶領域部１７２に保存されたデータが入力される（Ｓ３７０）。
【０１９９】
第七にスペリングコレクト項目１８０（Ｓｐｅｌｌｉｎｇ  Ｃｏｒｒｅｃｔ）のデータは、仮記憶領域部１７２に保存される（Ｓ３７２）。
【０２００】
第八にペイストＬｎスペリングコレクトスクリプト（Ｐａｓｔｅ  Ｌｎ  Ｓｐｅｌｌｉｎｇ  Ｃｏｒｒｅｃｔ）ステゥーデントレコード（Ｓｔｕｄｅｎｔ  Ｒｅｃｏｒｄｓ）が実行され、Ｌｎスペリング  コレクト項目２３８（Ｌｎ  Ｓｐｅｌｌｉｎｇ  Ｃｏｒｒｅｃｔ）内に仮記憶領域部１７２に保存されたデータが入力される（Ｓ３７４）。
【０２０１】
第九にペイストワードレベルｎスペリングコレクトスクリプト（Ｐａｓｔｅ  Ｗｏｒｄｓ  Ｌｅｖｅｌ  ｎ  Ｓｐｅｌｌｉｎｇ  Ｃｏｒｒｅｃｔ）メニュー（ＭＥＮＵ）が実行されＷＬｎスペリングコレクト項目２４０（ＷＬｎ  Ｓｐｅｌｌｉｎｇ  Ｃｏｒｒｅｃｔ）内に仮記憶領域部１７２に保存されたデータが入力される（Ｓ３７６）。
【０２０２】
第十にトータルコレクト項目１６４（Ｔｏｔａｌ  Ｃｏｒｒｅｃｔ）のデータは、仮記憶領域部１７２に保存される（Ｓ３７８）。
【０２０３】
第十一にペイストＬｎトータルコレクトスクリプト（Ｐａｓｔｅ  Ｌｎ  Ｔｏｔａｌ  Ｃｏｒｒｅｃｔ）ステゥーデントレコード（Ｓｔｕｄｅｎｔ  Ｒｅｃｏｒｄｓ）が実行され、Ｌｎトータル  コレクト項目２４２内（Ｌｎ  Ｔｏｔａｌ  Ｃｏｒｒｅｃｔ）に仮記憶領域部１７２に保存されたデータが入力される（Ｓ３８０）。
【０２０４】
第十二にペイストワードレベルｎトータルコレクトスクリプト（Ｐａｓｔｅ  Ｗｏｒｄｓ  Ｌｅｖｅｌ  ｎ  Ｔｏｔａｌ  Ｃｏｒｒｅｃｔ）メニュー（ＭＥＮＵ）が実行されＷＬｎトータルコレクト項目２４４（ＷＬｎ  Ｔｏｔａｌ  Ｃｏｒｒｅｃｔ）内に仮記憶領域部１７２に保存されたデータが入力される（Ｓ３８２）。
【０２０５】
第十三にワードスコア−項目２２６（ｗｏｒｄ  Ｓｃｏｒｅ）のデータは、仮記憶領域部１７２に保存される（Ｓ３８４）。
【０２０６】
第十四にペイストＬｎワードスコア−スクリプト（Ｐａｓｔｅ  Ｌｎ  Ｗｏｒｄ  Ｓｃｏｒｅ）ステゥーデントレコード（Ｓｔｕｄｅｎｔ  Ｒｅｃｏｒｄｓ）が実行され、Ｌｎワードスコア−項目２４６（Ｌｎ  Ｗｏｒｄ  Ｓｃｏｒｅ）内に一時記憶に保存されたデータが入力される（Ｓ３８６）。
【０２０７】
【０２０８】
第十六としてワードアテンプト項目１７４（Ｗｏｒｄ  Ａｔｔｅｍｐｔ）の値が１００以上であり、ワードスコア−項目２２６（ｗｏｒｄ  Ｓｃｏｒｅ）の値が０．９２９以上である場合（Ｓ３９０）は、ペイストワードレベルｎパストスクリプト（Ｐａｓｔｅ  Ｗｏｒｄｓ  Ｌｅｖｅｌ  ｎ  Ｐａｓｓｅｄ）メニュー（ＭＥＮＵ）が実行され、ワードレベルｎパスト項目２２８（Ｗｏｒｌｄ  Ｌｅｖｅｌ  ｎ  Ｐａｓｓｅｄ）に文字パスト（ｐａｓｓｅｄ）が入力される。
【０２０９】
一方、ワードアテンプト項目１７４（Ｗｏｒｄ  Ａｔｔｅｍｐｔ）の値が１００以上でもなく、ワードスコア−項目２２６（ｗｏｒｄ  Ｓｃｏｒｅ）の値が０．９２９以上でもない場合は、（Ｓ３４４）に戻る。
【０２１０】
続いて本発明に係る第２の実施例におけるプログラムを実施した際のディスプレイに表示される画面について図２５，２６を用いて説明する。図２５は、単語のスペルを入力する画面であり、図２６は発音記号を入力する画面が示されている。
【０２１１】
さらに、詳細には上段に本システムの名称と本システムの使用方法が示されている。さらに、本システムには難易度の異なる問題が４レベル存在し、そのレベルがラジオボタン２０１によって示される。
【０２１２】
その下段には、品詞を表示するパートオブスピーチ表示ブロック（Ｐａｒｔ  ｏｆ  Ｓｐｅｅｃｈ）１４１が設けられる。
【０２１３】
さらに第３段目にはフォネティックレプレゼンテイション表示ブロック１６８（Ｐｈｏｎｅｔｉｃ  Ｒｅｐｒｅｓｅｎｔａｔｉｏｎ）が設けられ受講者がシステムによって出題された問題に対して回答を入力するブロックが示される。
【０２１４】
その下段の第４段にはワード  スペリング表示ブロック２１０（Ｗｏｒｄ  ｓｐｅｌｌｉｎｇ）表示ブロック２１０は、同じ問題に対して発音記号を入力するためのボックスとなっている。
【０２１５】
５段目にはＳｅｌｅｃｔボタン１８４と、エグジット（ＥＸＩＴ）ボタン１８５と、アルファベットキーボード１８７と、スペースキー７８と、チェックボタン２０８（ｃｈｅｃｋ）と、デリートスペリングエントリーボタン２０９（Ｄｅｌｅｔｅ  Ｓｐｅｌｌｉｎｇ  Ｅｎｔｒｙ）と、さらに下段にはフォネティックエラー表示ブロック２１９（Ｐｈｏｎｅｔｉｃ  Ｅｒｒｏｒｓ）と、スペリングエラー表示ブロック１５７（Ｓｐｅｌｌｉｎｇ  Ｅｒｒｏｒｓ）と、ワードアテンプト表示ブロック１５９（Ｗｏｒｄ  Ａｔｔｅｍｐｔｓ）と、シンボルコレクト表示ブロック１６１（Ｓｙｍｂｏｌｓ  Ｃｏｒｒｅｃｔ）、スペリングコレクト表示ブロック１６３（Ｓｐｅｌｌｉｎｇ  Ｃｏｒｒｅｃｔ）と、トータルコレクト表示ブロック１６５（Ｔｏｔａｌ  Ｃｏｒｒｅｃｔ）と、ワードスコア−表示ブロック２２７（ｗｏｒｄ  Ｓｃｏｒｅ）とが配置される。
【０２１６】
ここで、セレクトボタン１８４（Ｓｅｌｅｃｔ）はセレクトランダムワード（Ｓｅｌｅｃｔ  Ｒａｎｄｏｍ  Ｗｏｒｄ）を実行するための起動ボタンである。
【０２１７】
エグジットボタン１８５（ＥＸＩＴ）は、本プログラムを終了することに同意する。
【０２１８】
アルファベットキーボード１８７は、スペリング（ｓｐｅｌｌｉｎｇ）を入力するために２６文字とカンマ、コロンと、数字キーのボタンとスペースキー７８から構成される。
【０２１９】
チェックボタン（ｃｈｅｃｋ）２０８はスペル（ｓｐｅｌｌ）入力後にクリックすることでスペリング（ｓｐｅｌｌｉｎｇ）の正誤を判定する。
【０２２０】
デリートスペリングエントリーボタン２０９（Ｄｅｌｅｔｅ  Ｓｐｅｌｌｉｎｇ  Ｅｎｔｒｙ）は、入力した文字を消去するのに使用される。
【０２２１】
「フォネティック  エラー」Ｐｈｏｎｅｔｉｃ  Ｅｒｒｏｒｓ表示ブロック２１９は、試験を受けて発音記号について誤った発音記号が表示される。
【０２２２】
スペリングエラー表示ブロック１５７（Ｓｐｅｌｌｉｎｇ  Ｅｒｒｏｒｓ）は、試験を受けてスペリング（ｓｐｅｌｌｉｎｇ）について誤ったスペリング（ｓｐｅｌｌｉｎｇ）が表示される。
【０２２３】
ワードアテンプト表示ブロック１５９（Ｗｏｒｄ  Ａｔｔｅｍｐｔｓ）は、本試験を試みる回数を表示するブロックである。
【０２２４】
シンボルコレクト表示ブロック１６１（Ｓｙｍｂｏｌｓ  Ｃｏｒｒｅｃｔ）は、発音記号が正解である場合にカウントされる値であるシンボルコレクト（Ｓｙｍｂｏｌｓ  Ｃｏｒｒｅｃｔ）を表示する。
【０２２５】
スペリングコレクト（Ｓｐｅｌｌｉｎｇ  Ｃｏｒｒｅｃｔ）表示ブロック１６３とは、スペリング（ｓｐｅｌｌｉｎｇ）が正解である場合にカウントされる値であるスペリングコレクト（Ｓｐｅｌｌｉｎｇ  Ｃｏｒｒｅｃｔ）を表示する。
【０２２６】
トータルコレクト（Ｔｏｔａｌ  Ｃｏｒｒｅｃｔ）表示ブロック１６５は、何れも正解であった場合の正解数であるトータルコレクト（Ｔｏｔａｌ  Ｃｏｒｒｅｃｔ）を表示させる。
【０２２７】
ワードスコア−表示ブロック２２７（ｗｏｒｄ  Ｓｃｏｒｅ）は、トータルコレクト表示ブロック１６５（Ｔｏｔａｌ  Ｃｏｒｒｅｃｔ）の値をワードアテンプト表示ブロック１５９（Ｗｏｒｄ  Ａｔｔｅｍｐｔｓ）の値で割った正解率を示している。
【０２２８】
図２６は、アルファベットキーボード１８７に代わって発音記号キーボードが配置される点のみが異なる。
【０２２９】
以上のように構成されることで、単語の発音を正確に聞き取る能力がえられるとともに、スペリング（ｓｐｅｌｌｉｎｇ）についても同時に学習することのできるシステムの提供が可能となる。
【図面の簡単な説明】
【０２３０】
【図１】本発明に係る音声発音教育装置の第一の実施例を示すブロック図である。
【図２】本発明に係る音声発音教育方法および音声発音教育プログラムの第一実施例におけるメインプログラムのフローチャートである。
【図３】本発明に係る音声発音教育方法および音声発音教育プログラムの第一実施例におけるメインプログラムのフローチャートである。
【図４】本発明に係る音声発音教育方法および音声発音教育プログラムの第一実施例におけるサブプログラムのフローチャートである。
【図５】本発明に係る音声発音教育方法および音声発音教育プログラムの第一実施例におけるサブプログラムのフローチャートである。
【図６】本発明に係る音声発音教育方法および音声発音教育プログラムの第一実施例におけるサブプログラムのフローチャートである。
【図７】本発明に係る音声発音教育方法および音声発音教育プログラムの第一実施例におけるサブプログラムのフローチャートである。
【図８】本発明に係る音声発音教育方法および音声発音教育プログラムの第一実施例におけるサブプログラムのフローチャートである。
【図９】本発明に係る音声発音教育方法および音声発音教育プログラムの第一実施例におけるサブプログラムのフローチャートである。
【図１０】本発明に係る音声発音教育方法および音声発音教育プログラムの第一実施例におけるメインプログラムの画面構成図である。
【図１１】本発明に係る音声発音教育装置の第二の実施例を示すブロック図である。
【図１２】本発明に係る音声発音教育方法および音声発音教育プログラムの第二実施例におけるメインプログラムのフローチャートである。
【図１３】本発明に係る音声発音教育方法および音声発音教育プログラムの第二実施例におけるメインプログラムのフローチャートである。
【図１４】本発明に係る音声発音教育方法および音声発音教育プログラムの第二実施例におけるサブプログラムのフローチャートである。
【図１５】本発明に係る音声発音教育方法および音声発音教育プログラムの第二実施例におけるサブプログラムのフローチャートである。
【図１６】本発明に係る音声発音教育方法および音声発音教育プログラムの第二実施例におけるサブプログラムのフローチャートである。
【図１７】本発明に係る音声発音教育方法および音声発音教育プログラムの第二実施例におけるサブプログラムのフローチャートである。
【図１８】本発明に係る音声発音教育方法および音声発音教育プログラムの第二実施例におけるサブプログラムのフローチャートである。
【図１９】本発明に係る音声発音教育方法および音声発音教育プログラムの第二実施例におけるサブプログラムのフローチャートである。
【図２０】本発明に係る音声発音教育方法および音声発音教育プログラムの第二実施例におけるサブプログラムのフローチャートである。
【図２１】本発明に係る音声発音教育方法および音声発音教育プログラムの第二実施例におけるサブプログラムのフローチャートである。
【図２２】本発明に係る音声発音教育方法および音声発音教育プログラムの第二実施例におけるサブプログラムのフローチャートである。
【図２３】本発明に係る音声発音教育方法および音声発音教育プログラムの第二実施例におけるサブプログラムのフローチャートである。
【図２４】本発明に係る音声発音教育方法および音声発音教育プログラムの第二実施例におけるメインプログラムの画面構成図である。
【図２５】本発明に係る音声発音教育方法および音声発音教育プログラムの第二実施例におけるメインプログラムの画面構成図である。
【図２６】本発明に係る音声発音教育方法および音声発音教育プログラムの第二実施例におけるメインプログラムの画面構成図である。
【図１】
2009501356.tif 000003
【図２】
2009501356.tif 000004
【図３】
2009501356.tif 000005
【図４】
2009501356.tif 000006
【図５】
2009501356.tif 000007
【図６】
2009501356.tif 000008
【図７】
2009501356.tif 000009
【図８】
2009501356.tif 000010
【図９】
2009501356.tif 000011
【図１０】
2009501356.tif 000012
【図１１】
2009501356.tif 000013
【図１２】
2009501356.tif 000014
【図１３】
2009501356.tif 000015
【図１４】
2009501356.tif 000016
【図１５】
2009501356.tif 000017
【図１６】
2009501356.tif 000018
【図１７】
2009501356.tif 000019
【図１８】
2009501356.tif 000020
【図１９】
2009501356.tif 000021
【図２０】
2009501356.tif 000022
【図２１】
2009501356.tif 000023
【図２２】
2009501356.tif 000024
【図２３】
2009501356.tif 000025
【図２４】
2009501356.tif 000026
【図２５】
2009501356.tif 000027
【図２６】
2009501356.tif 000028
【手続補正書】
【提出日】平成20年1月31日(2008.1.31)
【手続補正１】
【補正対象書類名】特許請求の範囲
【補正対象項目名】全文
【補正方法】変更
【補正の内容】
【特許請求の範囲】
【請求項１】
少なくとも音声データと該音声データを示す発音記号データとを関連付けた音声発音データを記憶させたデータベースと、入力手段からの指示信号を受けてランダムに音声発音データを選択する選択機能ブロックと、選択された音声発音データを再生する音声発音データ再生機能ブロックと、入力手段から入力された発音記号データと選択された音声発音データに対応する発音記号データを比較してその正誤結果を記憶手段に記録する発音記号データ正誤判定機能ブロックとを備える音声発音教育装置において、発音記号データ正誤判定機能ブロックの算出した正誤結果を積算して正誤率と比較回数とを算出する演算機能ブロックをさらに備える音声発音教育装置。
【請求項２】
前記発音記号データはさらに発音記号データに対応する文字データを前記データベースに記録され、正誤判定機能ブロックは外部から入力される文字データと選択された音声発音データに対応する文字データを比較してその正誤を記憶手段に記録することを特徴とする請求項１記載の音声発音教育装置。
【請求項３】
演算機能ブロックの算出した結果を表示部に表示させる表示機能ブロックをさらに備えることを特徴とする請求項２記載の音声発音教育装置。
【請求項４】
演算機能ブロックの算出した正誤率と比較回数とをアクセス者毎に記憶手段に記録するアクセス者管理機能ブロックをさらに備えることを特徴とする請求項２記載の音声発音教育装置。
【請求項５】
あらかじめデータベースに音声データと該音声データを示す発音記号データとを関連付けた音声発音データとが記憶され、選択機能ブロックが入力手段からの指示信号を受けてランダムに音声発音データを選択し、音声発音データ再生機能ブロックが選択された音声発音データを再生し、発音記号データ正誤判定機能ブロックが入力手段から入力された発音記号データと選択された音声発音データに対応する発音記号データを比較してその正誤結果を記憶手段に記録する音声発音教育方法。
【請求項６】
あらかじめデータベースに音声データと該音声データを示す発音記号データとを関連付けた音声発音データとが記憶され、選択機能ブロックが入力手段からの指示信号を受けてランダムに音声発音データを選択し、音声発音データ再生機能ブロックが選択された音声発音データを再生し、発音記号データ正誤判定機能ブロックが入力手段から入力された発音記号データと選択された音声発音データに対応する発音記号データを比較してその正誤結果を記憶手段に記録する音声発音教育プログラム。
【手続補正２】
【補正対象書類名】明細書
【補正対象項目名】０２０７
【補正方法】変更
【補正の内容】
【０２０７】
第十五にペイストワードレベルｎワードスコア−スクリプト（Ｐａｓｔｅ  Ｗｏｒｄｓ  Ｌｅｖｅｌ  ｎ  Ｗｏｒｄ  Ｓｃｏｒｅ）メニュー（ＭＥＮＵ）が実行され、ＷＬｎワードスコア−項目２４８（ＷＬｎ  Ｗｏｒｄ  Ｓｃｏｒｅ）内に一時記憶に保存されたデータが入力される（Ｓ３８８）。
【手続補正３】
【補正対象書類名】明細書
【補正対象項目名】０２３０
【補正方法】変更
【補正の内容】
【０２３０】
【図１】本発明に係る音声発音教育装置の第一の実施例を示すブロック図である。
【図２】本発明に係る音声発音教育方法および音声発音教育プログラムの第一実施例におけるメインプログラムのフローチャートである。
【図３】本発明に係る音声発音教育方法および音声発音教育プログラムの第一実施例におけるメインプログラムのフローチャートである。
【図４】本発明に係る音声発音教育方法および音声発音教育プログラムの第一実施例におけるサブプログラムのフローチャートである。
【図５】本発明に係る音声発音教育方法および音声発音教育プログラムの第一実施例におけるサブプログラムのフローチャートである。
【図６】本発明に係る音声発音教育方法および音声発音教育プログラムの第一実施例におけるサブプログラムのフローチャートである。
【図７】本発明に係る音声発音教育方法および音声発音教育プログラムの第一実施例におけるサブプログラムのフローチャートである。
【図８】本発明に係る音声発音教育方法および音声発音教育プログラムの第一実施例におけるサブプログラムのフローチャートである。
【図９】本発明に係る音声発音教育方法および音声発音教育プログラムの第一実施例におけるサブプログラムのフローチャートである。
【図１０】本発明に係る音声発音教育方法および音声発音教育プログラムの第一実施例におけるサブプログラムのフローチャートである。
【図１１】本発明に係る音声発音教育方法および音声発音教育プログラムの第一実施例におけるメインプログラムの画面構成図である。
【図１２】本発明に係る音声発音教育装置の第二の実施例を示すブロック図である。
【図１３】本発明に係る音声発音教育方法および音声発音教育プログラムの第二実施例におけるメインプログラムのフローチャートである。
【図１４】本発明に係る音声発音教育方法および音声発音教育プログラムの第二実施例におけるメインプログラムのフローチャートである。
【図１５】本発明に係る音声発音教育方法および音声発音教育プログラムの第二実施例におけるサブプログラムのフローチャートである。
【図１６】本発明に係る音声発音教育方法および音声発音教育プログラムの第二実施例におけるサブプログラムのフローチャートである。
【図１７】本発明に係る音声発音教育方法および音声発音教育プログラムの第二実施例におけるサブプログラムのフローチャートである。
【図１８】本発明に係る音声発音教育方法および音声発音教育プログラムの第二実施例におけるサブプログラムのフローチャートである。
【図１９】本発明に係る音声発音教育方法および音声発音教育プログラムの第二実施例におけるサブプログラムのフローチャートである。
【図２０】本発明に係る音声発音教育方法および音声発音教育プログラムの第二実施例におけるサブプログラムのフローチャートである。
【図２１】本発明に係る音声発音教育方法および音声発音教育プログラムの第二実施例におけるサブプログラムのフローチャートである。
【図２２】本発明に係る音声発音教育方法および音声発音教育プログラムの第二実施例におけるサブプログラムのフローチャートである。
【図２３】本発明に係る音声発音教育方法および音声発音教育プログラムの第二実施例におけるサブプログラムのフローチャートである。
【図２４】本発明に係る音声発音教育方法および音声発音教育プログラムの第二実施例におけるサブプログラムのフローチャートである。
【図２５】本発明に係る音声発音教育方法および音声発音教育プログラムの第二実施例におけるメインプログラムの画面構成図である。
【図２６】本発明に係る音声発音教育方法および音声発音教育プログラムの第二実施例におけるメインプログラムの画面構成図である。
【国際調査報告】
2009501356.tif 000029